(57)【特許請求の範囲】
【請求項１】
制御情報伝送方法であって、
送信端によって、第1のタイプの制御情報および前記第1のタイプの制御情報のスケジューリング済みデータについての第1の時間ドメインリソースを決定するステップと、
前記送信端によって、第2のタイプの制御情報および前記第2のタイプの制御情報のスケジューリング済みデータについての第2の時間ドメインリソースを決定するステップと、
前記送信端によって、前記第2の時間ドメインリソースにおける前記第2のタイプの制御情報または前記第2のタイプの制御情報の前記スケジューリング済みデータがプリセット条件を満たしているかどうかを決定するステップと、
前記第2のタイプの制御情報または前記第2のタイプの制御情報の前記スケジューリング済みデータが前記プリセット条件を満たしている場合には、前記送信端によって、前記第1の時間ドメインリソースにおいて前記第2のタイプの制御情報の少なくとも一部および前記第2のタイプの制御情報の前記スケジューリング済みデータの少なくとも一部を送信するステップと
を含み、
前記プリセット条件は、
前記第2のタイプの制御情報の前記スケジューリング済みデータの優先度が前記第1のタイプの制御情報の前記スケジューリング済みデータの優先度より高い、
前記第2のタイプの制御情報のデータタイプの前記スケジューリング済みデータがトリガ型イベントであるとともに、前記第1のタイプの制御情報のデータタイプの前記スケジューリング済みデータが周期的イベントである、または、
前記第2の時間ドメインリソースの伝送期間が前記第1の時間ドメインリソースの伝送期間より大きくない
といった条件のうちの少なくとも1つを含む、方法。
【請求項２】
前記第2のタイプの制御情報は、
前記第2のタイプの制御情報の前記スケジューリング済みデータの優先度指示情報、
前記第2のタイプの制御情報の前記スケジューリング済みデータのデータタイプ指示情報であって、前記データタイプ指示情報は、前記第2のタイプの制御情報の前記スケジューリング済みデータがイベントトリガ型であるかどうかを示すために使用される、データタイプ指示情報、または、
前記第2のタイプの制御情報の前記スケジューリング済みデータの伝送期間指示情報
といった情報のうちの少なくとも1つを含む、請求項1に記載の方法。
【請求項３】
制御情報伝送方法であって、
受信端によって、第1のタイプの制御情報および前記第1のタイプの制御情報のスケジューリング済みデータについての第1の時間ドメインリソースを決定するステップと、
前記受信端によって、第2のタイプの制御情報および前記第2のタイプの制御情報のスケジューリング済みデータについての第2の時間ドメインリソースを決定するステップと、
前記受信端が前記第1の時間ドメインリソースにおいて前記第2のタイプの制御情報の少なくとも一部および前記スケジューリング済みデータの少なくとも一部を検出すると、前記第2のタイプの制御情報に従って前記第2のタイプの制御情報の前記スケジューリング済みデータを受信するステップと、
前記受信端が前記第1の時間ドメインリソースにおいて前記第2のタイプの制御情報の少なくとも一部および前記スケジューリング済みデータの少なくとも一部を検出すると、前記第2の時間ドメインリソースにおける前記第2のタイプの制御情報または前記第2のタイプの制御情報の前記スケジューリング済みデータがプリセット条件を満たしているかどうかを決定するステップと、
前記第2のタイプの制御情報または前記第2のタイプの制御情報の前記スケジューリング済みデータが前記プリセット条件を満たしている場合には、前記受信端によって、前記第2のタイプの制御情報に従って前記第2のタイプの制御情報の前記スケジューリング済みデータを受信する前記ステップを行うステップと
を含み、
前記プリセット条件は、
前記第2のタイプの制御情報の前記スケジューリング済みデータの優先度が前記第1のタイプの制御情報の前記スケジューリング済みデータの優先度より高い、
前記第2のタイプの制御情報のデータタイプの前記スケジューリング済みデータがトリガ型イベントであるとともに、前記第1のタイプの制御情報のデータタイプの前記スケジューリング済みデータが周期的イベントである、または、
前記第2の時間ドメインリソースの伝送期間が前記第1の時間ドメインリソースの伝送期間より大きくない
といった条件のうちの少なくとも1つを含む、方法。
【請求項４】
前記第2のタイプの制御情報は、
前記第2のタイプの制御情報の前記スケジューリング済みデータの優先度指示情報、
前記第2のタイプの制御情報の前記スケジューリング済みデータのデータタイプ指示情報であって、前記データタイプ指示情報は、前記第2のタイプの制御情報の前記スケジューリング済みデータがイベントトリガ型であるかどうかを示すために使用される、データタイプ指示情報、または、
前記第2のタイプの制御情報の前記スケジューリング済みデータの伝送期間指示情報
といった情報のうちの少なくとも1つを含む、請求項3に記載の方法。
【請求項５】
前記第1の時間ドメインリソースにおいて前記第2のタイプの制御情報および前記スケジューリング済みデータを検出した際に、前記受信端が前記第1のタイプの制御情報および前記第1のタイプの制御情報の前記スケジューリング済みデータを受信している場合には、前記第1のタイプの制御情報および前記第1のタイプの制御情報の前記スケジューリング済みデータを受信することを破棄または停止するステップをさらに含む、請求項3または4に記載の方法。
【請求項６】
第1のタイプの制御情報および前記第1のタイプの制御情報のスケジューリング済みデータについての第1の時間ドメインリソースを決定するように構成される、処理モジュールであって、
前記処理モジュールは、第2のタイプの制御情報および前記第2のタイプの制御情報のスケジューリング済みデータについての第2の時間ドメインリソースを決定するようにさらに構成される、処理モジュールと、
前記第2の時間ドメインリソースにおける前記第2のタイプの制御情報または前記第2のタイプの制御情報の前記スケジューリング済みデータがプリセット条件を満たしているかどうかを決定するように構成される、決定モジュールと、
前記第2のタイプの制御情報または前記第2のタイプの制御情報の前記スケジューリング済みデータが前記プリセット条件を満たしている場合には、前記第1の時間ドメインリソースにおいて前記第2のタイプの制御情報の少なくとも一部および前記第2のタイプの制御情報の前記スケジューリング済みデータの少なくとも一部を送信するように構成される、送信モジュールと
を含み、
前記プリセット条件は、
前記第2のタイプの制御情報の前記スケジューリング済みデータの優先度が前記第1のタイプの制御情報の前記スケジューリング済みデータの優先度より高い、
前記第2のタイプの制御情報のデータタイプの前記スケジューリング済みデータがトリガ型イベントであるとともに、前記第1のタイプの制御情報のデータタイプの前記スケジューリング済みデータが周期的イベントである、または、
前記第2の時間ドメインリソースの伝送期間が前記第1の時間ドメインリソースの伝送期間より大きくない
といった条件のうちの少なくとも1つを含む、ユーザ機器。
【請求項７】
前記第2のタイプの制御情報は、
前記第2のタイプの制御情報の前記スケジューリング済みデータの優先度指示情報、
前記第2のタイプの制御情報の前記スケジューリング済みデータのデータタイプ指示情報であって、前記データタイプ指示情報は、前記第2のタイプの制御情報の前記スケジューリング済みデータがイベントトリガ型であるかどうかを示すために使用される、データタイプ指示情報、または、
前記第2のタイプの制御情報の前記スケジューリング済みデータの伝送期間指示情報
といった情報のうちの少なくとも1つを含む、請求項6に記載のユーザ機器。
【請求項８】
ユーザ機器であって、
第1のタイプの制御情報および前記第1のタイプの制御情報のスケジューリング済みデータについての第1の時間ドメインリソースを決定するように構成される、処理モジュールであって、
前記処理モジュールは、第2のタイプの制御情報および前記第2のタイプの制御情報のスケジューリング済みデータについての第2の時間ドメインリソースを決定するようにさらに構成される、処理モジュールと、
前記ユーザ機器が前記第1の時間ドメインリソースにおいて前記第2のタイプの制御情報の少なくとも一部および前記スケジューリング済みデータの少なくとも一部を検出すると、前記第2のタイプの制御情報に従って前記第2のタイプの制御情報の前記スケジューリング済みデータを受信するように構成される、受信モジュールとを含み、
前記受信モジュールは、
前記ユーザ機器が前記第1の時間ドメインリソースにおいて前記第2のタイプの制御情報の少なくとも一部および前記スケジューリング済みデータの少なくとも一部を検出すると、前記第2の時間ドメインリソースにおける前記第2のタイプの制御情報または前記第2のタイプの制御情報の前記スケジューリング済みデータがプリセット条件を満たしているかどうかを決定し、前記第2のタイプの制御情報または前記第2のタイプの制御情報の前記スケジューリング済みデータが前記プリセット条件を満たしている場合には、前記第2のタイプの制御情報に従って前記第2のタイプの制御情報の前記スケジューリング済みデータを受信するようにさらに構成され、
前記プリセット条件は、
前記第2のタイプの制御情報の前記スケジューリング済みデータの優先度が前記第1のタイプの制御情報の前記スケジューリング済みデータの優先度より高い、
前記第2のタイプの制御情報のデータタイプの前記スケジューリング済みデータがトリガ型イベントであるとともに、前記第1のタイプの制御情報のデータタイプの前記スケジューリング済みデータが周期的イベントである、または、
前記第2の時間ドメインリソースの伝送期間が前記第1の時間ドメインリソースの伝送期間より大きくない
といった条件のうちの少なくとも1つを含む、ユーザ機器。
【請求項９】
前記第2のタイプの制御情報は、
前記第2のタイプの制御情報の前記スケジューリング済みデータの優先度指示情報、
前記第2のタイプの制御情報の前記スケジューリング済みデータのデータタイプ指示情報であって、前記データタイプ指示情報は、前記第2のタイプの制御情報の前記スケジューリング済みデータがイベントトリガ型であるかどうかを示すために使用される、データタイプ指示情報、または、
前記第2のタイプの制御情報の前記スケジューリング済みデータの伝送期間指示情報
といった情報のうちの少なくとも1つを含む、請求項8に記載のユーザ機器。
【請求項１０】
前記受信モジュールは、
前記第1の時間ドメインリソースにおいて前記第2のタイプの制御情報および前記スケジューリング済みデータを検出した際に、前記ユーザ機器が前記第1のタイプの制御情報および前記第1のタイプの制御情報の前記スケジューリング済みデータを受信している場合には、前記第1のタイプの制御情報および前記第1のタイプの制御情報の前記スケジューリング済みデータを受信することを破棄または停止するようにさらに構成される、請求項8または9に記載のユーザ機器。
【請求項１１】
コンピュータによって実行されると、前記コンピュータに請求項1から5のいずれか一項に記載の方法のステップを行わせる命令を含む、コンピュータ可読記憶媒体。
【発明の詳細な説明】
【技術分野】
【０００１】
本発明は、通信技術の分野に関し、詳細には、制御情報伝送方法、送信端、および受信端に関する。
【背景技術】
【０００２】
近年、高度道路交通および自動運転技術が幅広く注目を集めている。自動運転およびインテリジェントトラフィックにおける車両制御を改善するために、高容量および高信頼性を有する通信技術のためにより高い要件が挙がっている。具体的には、車両間の通信のために使用されるデータパケットの検出は、95%以上の精度を必要とする。3GPP主導の研究に関連する現行の車のインターネット(Internet of Vehicles)は、デバイス・ツー・デバイス(Device to Device、D2D)に基づいた高度化に主に関するものである。
【０００３】
D2D通信、デバイス・ツー・デバイス通信における、制御情報と制御情報のスケジューリング済みデータとの間の関係の図を図1に示しており、制御情報(すなわち、図1中のSA)およびスケジューリング済みデータ(すなわち、図1中のDATA)が異なる時間ドメインリソースを別々に占有している。制御情報の時間ドメインリソースが、スケジューリング済みデータの時間ドメインリソースに先行しており、1つまたは複数の後続のデータパケットの伝送をスケジューリングするために使用される。
【０００４】
既存のD2D技術では、ユーザ機器(User Equipment、UE)は、半二重方式で動作している、すなわち、UEは、データを受信している最中にデータを送信することができないし、反対に、UEは、データを送信している最中にデータを受信することができない。制御情報を検出することに成功する確率とスケジューリング済みデータを検出することに成功する確率の両方ともが90%であると仮定する。制御情報およびスケジューリング済みデータが異なるリソースプールを使用しているため、UEによって制御情報とスケジューリング済みデータとの両方を検出することに成功する確率は、0.9×0.9=0.81である。従来技術における設計では、通信システムの信頼性が比較的低いものとなっている。
【発明の概要】
【課題を解決するための手段】
【０００５】
本発明の実施形態は、通信システムの信頼性を改善するために、制御情報伝送方法、送信端、および受信端を提供している。
【０００６】
本発明の第1の態様は、制御情報伝送方法を提供しており、方法は、
送信端によって、ある伝送期間内にスケジューリング済みデータを送信するために使用される第1の時間ドメインリソースおよびスケジューリング済みデータの制御情報を送信するために使用される第2の時間ドメインリソースを決定するステップであって、第2の時間ドメインリソースは、第1の時間ドメインリソースのサブセットである、ステップと、
送信端によって、第2の時間ドメインリソース上で制御情報を送信するステップであって、制御情報は、スケジューリング済みデータを受信するように受信端に命令するために使用されるパラメータを含む、ステップとを含む。
【０００７】
第1の態様の第1の可能な実施形態においては、伝送期間内に制御情報によって占有される第2の時間ドメインリソースのサブフレームは、スケジューリング済みデータによって占有される第1の時間ドメインリソースのサブフレームと完全に同一、部分的に同一、または全く異なる。
【０００８】
第1の態様または第1の態様の第1の可能な実施形態に準拠している、第2の可能な実施形態においては、第2の時間ドメインリソースは、M個のチャイルド時間ドメインリソースを含み、各チャイルド時間ドメインリソースは、制御情報を送信するために使用されるK個のサブフレームを含み、MおよびKは、シグナリングで設定されまたは事前に定義され、MおよびKは、1未満ではない正の整数である。
【０００９】
第1の態様または第1の態様の第1の可能な実施形態に準拠している、第3の可能な実施形態においては、第2の時間ドメインリソースは、制御情報を送信するために使用されるN個のサブフレームを含み、Nは、シグナリングで設定されまたは事前に定義され、Nは、1未満ではない正の整数である。
【００１０】
第1の態様または第1の態様の第1から第3の可能な実施形態のいずれか1つに準拠している、第4の可能な実施形態においては、送信端によって、第2の時間ドメインリソース上で制御情報を送信するステップは、
送信端によって、所定の時間ドメイン位置決定方式で第2の時間ドメインリソースから制御情報の時間ドメインの位置を決定するとともに、所定の周波数ドメイン位置決定方式で第2の時間ドメインリソースの周波数ドメインリソースセットから制御情報の周波数ドメインの位置を決定するステップと、
送信端によって、決定した時間ドメインの位置および決定した周波数ドメインの位置を使用して制御情報を送信するステップとを含む。
【００１１】
第1の態様の第4の可能な実施形態に準拠している、第5の可能な実施形態においては、
第2の時間ドメインリソースの周波数ドメインリソースセットは、
制御情報内の指示識別子によって決定される、
制御情報が位置しているサブフレームのサブフレーム番号によって決定される、
制御情報が位置しているサブフレームの無線フレーム番号によって決定される、
制御情報が位置しているキャリアのキャリア識別子によって決定される、または、
制御情報が物理リソースブロックにマッピングされているプリセット方式で決定される方式のうちの少なくとも1つで決定される。
【００１２】
第1の態様または第1の態様の第1から第5の可能な実施形態のいずれか1つに準拠している、第6の可能な実施形態においては、第2の時間ドメインリソースの開始サブフレームは、第1の時間ドメインリソースの開始サブフレームがプリセットオフセット値を使用してオフセットされた後に、決定される。
【００１３】
第1の態様の第6の可能な実施形態に準拠している、第7の可能な実施形態においては、プリセットオフセット値は、Q個の候補値を含み、Qは、シグナリングで設定されまたは事前に定義され、Qは、1未満ではない正の整数である。
【００１４】
第1の態様または第1の態様の第1から第7の可能な実施形態のいずれか1つに準拠している、第8の可能な実施形態においては、送信端は、ビットマッピング方式で、システムによって提供された時間ドメインリソースから第1の時間ドメインリソースを決定し、送信端は、ビットマッピング方式で、第2の時間ドメインリソースにおいて提供されたリソースから第2の時間ドメインリソースを決定する。
【００１５】
第1の態様または第1の態様の第1から第8の可能な実施形態のいずれか1つに準拠している、第9の可能な実施形態においては、送信端は、車載デバイスまたはロードサイドユニットを含む。
【００１６】
それに対応するように、本発明の第2の態様は、送信端を提供しており、送信端は、
ある伝送期間内にスケジューリング済みデータを送信するために使用される第1の時間ドメインリソースおよびスケジューリング済みデータの制御情報を送信するために使用される第2の時間ドメインリソースを決定するように構成される、処理モジュールであって、第2の時間ドメインリソースは、第1の時間ドメインリソースのサブセットである、処理モジュールと、
第2の時間ドメインリソース上で制御情報を送信するように構成される、送信モジュールであって、制御情報は、スケジューリング済みデータを受信するように受信端に命令するために使用されるパラメータを含む、送信モジュールとを含む。
【００１７】
第2の態様の第1の可能な実施形態においては、伝送期間内に制御情報によって占有される第2の時間ドメインリソースのサブフレームは、スケジューリング済みデータによって占有される第1の時間ドメインリソースのサブフレームと完全に同一、部分的に同一、または全く異なる。
【００１８】
第2の態様または第2の態様の第1の可能な実施形態に準拠している、第2の可能な実施形態においては、第2の時間ドメインリソースは、M個のチャイルド時間ドメインリソースを含み、各チャイルド時間ドメインリソースは、制御情報を送信するために使用されるK個のサブフレームを含み、MおよびKは、シグナリングで設定されまたは事前に定義され、MおよびKは、1未満ではない正の整数である。
【００１９】
第2の態様または第2の態様の第1の可能な実施形態に準拠している、第3の可能な実施形態においては、第2の時間ドメインリソースは、制御情報を送信するために使用されるN個のサブフレームを含み、Nは、シグナリングで設定されまたは事前に定義され、Nは、1未満ではない正の整数である。
【００２０】
第2の態様または第2の態様の第1から第3の可能な実施形態のいずれか1つに準拠している、第4の可能な実施形態においては、送信モジュールは、
所定の時間ドメイン位置決定方式で第2の時間ドメインリソースから制御情報の時間ドメインの位置を決定するとともに、所定の周波数ドメイン位置決定方式で第2の時間ドメインリソースの周波数ドメインリソースセットから制御情報の周波数ドメインの位置を決定し、
決定した時間ドメインの位置および決定した周波数ドメインの位置を使用して制御情報を送信するように特に構成される。
【００２１】
第2の態様の第4の可能な実施形態に準拠している、第5の可能な実施形態においては、
第2の時間ドメインリソースの周波数ドメインリソースセットは、
制御情報内の指示識別子によって決定される、
制御情報が位置しているサブフレームのサブフレーム番号によって決定される、
制御情報が位置しているサブフレームの無線フレーム番号によって決定される、
制御情報が位置しているキャリアのキャリア識別子によって決定される、または、
制御情報が物理リソースブロックにマッピングされているプリセット方式で決定される方式のうちの少なくとも1つで決定される。
【００２２】
第2の態様または第2の態様の第1から第5の可能な実施形態のいずれか1つに準拠している、第6の可能な実施形態においては、第2の時間ドメインリソースの開始サブフレームは、第1の時間ドメインリソースの開始サブフレームがプリセットオフセット値を使用してオフセットされた後に、決定される。
【００２３】
第2の態様の第6の可能な実施形態に準拠している、第7の可能な実施形態においては、プリセットオフセット値は、Q個の候補値を含み、Qは、シグナリングで設定されまたは事前に定義され、Qは、1未満ではない正の整数である。
【００２４】
第2の態様または第2の態様の第1から第7の可能な実施形態のいずれか1つに準拠している、第8の可能な実施形態においては、送信端は、ビットマッピング方式で、システムによって提供された時間ドメインリソースから第1の時間ドメインリソースを決定し、送信端は、ビットマッピング方式で、第2の時間ドメインリソースにおいて提供されたリソースから第2の時間ドメインリソースを決定する。
【００２５】
第2の態様または第2の態様の第1から第8の可能な実施形態のいずれか1つに準拠している、第9の可能な実施形態においては、送信端は、車載デバイスまたはロードサイドユニットを含む。
【００２６】
それに対応するように、本発明の第3の態様は、送信端をさらに提供しており、送信端は、プロセッサ、メモリ、およびネットワークインターフェースを含み、メモリは、プログラムのセットを記憶し、プロセッサは、送信端が第1の態様の一部またはすべてのステップを行うことができるように、メモリに記憶されているプログラムを起動するように構成される。
【００２７】
それに対応するように、本発明の第4の態様は、コンピュータ記憶媒体をさらに提供しており、コンピュータ記憶媒体は、プログラムを記憶しており、実行される際に、プログラムは、第1の態様の一部またはすべてのステップを含む。
【００２８】
本発明の第5の態様は、制御情報伝送方法を提供しており、方法は、
受信端によって、ある伝送期間内にスケジューリング済みデータの制御情報を送信するために使用される第2の時間ドメインリソースを決定するステップであって、第2の時間ドメインリソースは、第1の時間ドメインリソースのサブセットであり、第1の時間ドメインリソースは、伝送期間内のスケジューリング済みデータの時間ドメインリソースである、ステップと、
受信端によって、第2の時間ドメインリソース上で制御情報を受信するステップであって、制御情報は、スケジューリング済みデータを受信するように受信端に命令するために使用されるパラメータを含む、ステップとを含む。
【００２９】
第5の態様の第1の可能な実施形態においては、第2の時間ドメインリソースは、M個のチャイルド時間ドメインリソースを含み、各チャイルド時間ドメインリソースは、制御情報を送信するために使用されるK個のサブフレームを含み、MおよびKは、シグナリングで設定されまたは事前に定義され、MおよびKは、1未満ではない正の整数である。
【００３０】
第5の態様の第2の可能な実施形態においては、第2の時間ドメインリソースは、制御情報を送信するために使用されるN個のサブフレームを含み、Nは、シグナリングで設定されまたは事前に定義され、Nは、1未満ではない正の整数である。
【００３１】
第5の態様または第5の態様の第1および第2の可能な実施形態のいずれか1つに準拠している、第3の可能な実施形態においては、受信端によって、第2の時間ドメインリソース上で制御情報を受信するステップは、受信端によって、所定の時間ドメイン位置決定方式で第2の時間ドメインリソースにおける制御情報の時間ドメインの位置を決定するとともに、周波数ドメインリソースセットに従って決定した時間ドメインの位置で制御情報を検出および受信するステップを含む。
【００３２】
第5の態様の第3の可能な実施形態に準拠している、第4の可能な実施形態においては、受信端によって、周波数ドメインリソースセットに従って決定した時間ドメインの位置で制御情報を検出および受信するステップは、受信端によって、周波数ドメインリソースセットに従って決定した時間ドメインの位置で制御情報を引き続き検出するとともに、制御情報が現在の時間ドメインの位置で検出されなかった場合には、次の時間ドメインの位置で制御情報を検出するステップを含む。
【００３３】
第5の態様の第3または第4の可能な実施形態に準拠している、第5の可能な実施形態においては、第2の時間ドメインリソースの周波数ドメインリソースセットは、
制御情報内の指示識別子によって決定される、
制御情報が位置しているサブフレームのサブフレーム番号によって決定される、
制御情報が位置しているサブフレームの無線フレーム番号によって決定される、
制御情報が位置しているキャリアのキャリア識別子によって決定される、または、
制御情報が物理リソースブロックにマッピングされているプリセット方式で決定される方式のうちの少なくとも1つで決定される。
【００３４】
第5の態様または第5の態様の第1から第5の可能な実施形態のいずれか1つに準拠している、第6の可能な実施形態においては、第2の時間ドメインリソースの開始サブフレームは、第1の時間ドメインリソースの開始サブフレームがプリセットオフセット値を使用してオフセットされた後に、決定される。
【００３５】
第5の態様の第6の可能な実施形態に準拠している、第7の可能な実施形態においては、プリセットオフセット値は、Q個の候補値を含み、Qは、シグナリングで設定されまたは事前に定義され、Qは、1未満ではない正の整数である。
【００３６】
第5の態様または第5の態様の第1から第7の可能な実施形態のいずれか1つに準拠している、第8の可能な実施形態においては、受信端は、車載デバイスまたはロードサイドユニットを含む。
【００３７】
それに対応するように、本発明の第6の態様は、受信端を提供しており、受信端は、
ある伝送期間内にスケジューリング済みデータの制御情報を送信するために使用される第2の時間ドメインリソースを決定するように構成される、処理モジュールであって、第2の時間ドメインリソースは、第1の時間ドメインリソースのサブセットであり、第1の時間ドメインリソースは、伝送期間内のスケジューリング済みデータの時間ドメインリソースである、処理モジュールと、
第2の時間ドメインリソース上で制御情報を受信するように構成される、受信モジュールであって、制御情報は、スケジューリング済みデータを受信するように受信端に命令するために使用されるパラメータを含む、受信モジュールとを含む。
【００３８】
第6の態様の第1の可能な実施形態においては、第2の時間ドメインリソースは、M個のチャイルド時間ドメインリソースを含み、各チャイルド時間ドメインリソースは、制御情報を送信するために使用されるK個のサブフレームを含み、MおよびKは、シグナリングで設定されまたは事前に定義され、MおよびKは、1未満ではない正の整数である。
【００３９】
第6の態様の第2の可能な実施形態においては、第2の時間ドメインリソースは、制御情報を送信するために使用されるN個のサブフレームを含み、Nは、シグナリングで設定されまたは事前に定義され、Nは、1未満ではない正の整数である。
【００４０】
第6の態様または第6の態様の第1および第2の可能な実施形態のいずれか1つに準拠している、第3の可能な実施形態においては、受信モジュールは、所定の時間ドメイン位置決定方式で第2の時間ドメインリソースにおける制御情報の時間ドメインの位置を決定するとともに、周波数ドメインリソースセットに従って決定した時間ドメインの位置で制御情報を検出および受信するように特に構成される。
【００４１】
第6の態様の第3の可能な実施形態に準拠している、第4の可能な実施形態においては、受信モジュールは、周波数ドメインリソースセットに従って決定した時間ドメインの位置で制御情報を引き続き検出するとともに、制御情報が現在の時間ドメインの位置で検出されなかった場合には、次の時間ドメインの位置で制御情報を検出するように特に構成される。
【００４２】
第6の態様の第3または第4の可能な実施形態に準拠している、第5の可能な実施形態においては、第2の時間ドメインリソースの周波数ドメインリソースセットは、
制御情報内の指示識別子によって決定される、
制御情報が位置しているサブフレームのサブフレーム番号によって決定される、
制御情報が位置しているサブフレームの無線フレーム番号によって決定される、
制御情報が位置しているキャリアのキャリア識別子によって決定される、または、
制御情報が物理リソースブロックにマッピングされているプリセット方式で決定される方式のうちの少なくとも1つで決定される。
【００４３】
第6の態様または第6の態様の第1から第5の可能な実施形態のいずれか1つに準拠している、第6の可能な実施形態においては、第2の時間ドメインリソースの開始サブフレームは、第1の時間ドメインリソースの開始サブフレームがプリセットオフセット値を使用してオフセットされた後に、決定される。
【００４４】
第6の態様の第6の可能な実施形態に準拠している、第7の可能な実施形態においては、プリセットオフセット値は、Q個の候補値を含み、Qは、シグナリングで設定されまたは事前に定義され、Qは、1未満ではない正の整数である。
【００４５】
第6の態様または第6の態様の第1から第7の可能な実施形態のいずれか1つに準拠している、第8の可能な実施形態においては、受信端は、車載デバイスまたはロードサイドユニットを含む。
【００４６】
それに対応するように、本発明の第7の態様は、受信端をさらに提供しており、受信端は、プロセッサ、メモリ、およびネットワークインターフェースを含み、メモリは、プログラムのセットを記憶し、プロセッサは、受信端が第5の態様の一部またはすべてのステップを行うことができるように、メモリに記憶されているプログラムを起動するように構成される。
【００４７】
それに対応するように、本発明の第8の態様は、コンピュータ記憶媒体をさらに提供しており、コンピュータ記憶媒体は、プログラムを記憶しており、実行される際に、プログラムは、第5の態様の一部またはすべてのステップを含む。
【００４８】
本発明の第9の態様は、制御情報伝送方法をさらに提供しており、方法は、
送信端によって、第1のタイプの制御情報の第1の時間ドメインリソースおよび第1のタイプの制御情報のスケジューリング済みデータを決定するステップと、
送信端によって、第2のタイプの制御情報の第2の時間ドメインリソースおよび第2のタイプの制御情報のスケジューリング済みデータを決定するステップと、
送信端によって、第2のタイプの制御情報または第2のタイプの制御情報のスケジューリング済みデータがプリセット条件を満たしているかどうかを決定するステップと、
第2のタイプの制御情報または第2のタイプの制御情報のスケジューリング済みデータがプリセット条件を満たしている場合には、送信端によって、第1の時間ドメインリソースにおいて第2のタイプの制御情報および第2のタイプの制御情報のスケジューリング済みデータを送信するステップとを含む。
【００４９】
第9の態様の第1の可能な実施形態においては、プリセット条件は、
第2のタイプの制御情報のスケジューリング済みデータの優先度が第1のタイプの制御情報のスケジューリング済みデータの優先度より高い、
第2のタイプの制御情報のデータタイプのスケジューリング済みデータがトリガ型イベントであるとともに、第1のタイプの制御情報のデータタイプのスケジューリング済みデータが周期的イベントである、または、
第2の時間ドメインリソースの伝送期間が第1の時間ドメインリソースの伝送期間より大きくない、といった条件のうちの少なくとも1つを含む。
【００５０】
第9の態様の第2の可能な実施形態においては、第2のタイプの制御情報は、
第2のタイプの制御情報のスケジューリング済みデータの優先度指示情報、
第2のタイプの制御情報のスケジューリング済みデータのデータタイプ指示情報であって、データタイプ指示情報は、第2のタイプの制御情報のスケジューリング済みデータがイベントトリガ型であるかどうかを示すために使用される、データタイプ指示情報、または、
第2のタイプの制御情報のスケジューリング済みデータの伝送期間指示情報、といった情報のうちの少なくとも1つを含む。
【００５１】
第9の態様または第9の態様の第1もしくは第2の可能な実施形態に準拠している、第3の可能な実施形態においては、送信端によって、第1の時間ドメインリソースにおいて第2のタイプの制御情報および第2のタイプの制御情報のスケジューリング済みデータを送信するステップは、
送信端によって、第1の時間ドメインリソースの現在の伝送期間が終了した後に、第2のタイプの制御情報および第2のタイプの制御情報のスケジューリング済みデータを送信するステップ、または、
送信端によって、第1の時間ドメインリソースの現在の伝送期間内に第2のタイプの制御情報および第2のタイプの制御情報のスケジューリング済みデータを送信するステップを含む。
【００５２】
第9の態様または第9の態様の第1から第3の可能な実施形態のいずれか1つに準拠している、第4の可能な実施形態においては、送信端が第2のタイプの制御情報および第2のタイプの制御情報のスケジューリング済みデータを完全に送信した後に、方法は、
送信端によって、第1の時間ドメインリソースにおいて第1のタイプの制御情報の第1のタイプの制御情報および/またはスケジューリング済みデータを送信し続けるステップ、または、
送信端によって、第1の時間ドメインリソースにおいて第1のタイプの制御情報の第1のタイプの制御情報および/またはスケジューリング済みデータを再送信するステップをさらに含む。
【００５３】
第9の態様または第9の態様の第1から第4の可能な実施形態のいずれか1つに準拠している、第5の可能な実施形態においては、第1の時間ドメインリソースは、J個のチャイルド時間ドメインリソースグループを含み、各チャイルド時間ドメインリソースグループは、少なくとも1つのチャイルド時間ドメインリソースを含み、Jは、1未満ではない正の整数である。
【００５４】
第9の態様の第5の可能な実施形態に準拠している、第6の可能な実施形態においては、送信端によって、第1の時間ドメインリソースにおいて第2のタイプの制御情報および第2のタイプの制御情報のスケジューリング済みデータを送信するステップは、
送信端によって、第2のタイプの制御情報および少なくとも2つのチャイルド時間ドメインリソースグループ内の第2のタイプの制御情報のスケジューリング済みデータを送信するステップを含む。
【００５５】
第9の態様または第9の態様の第1から第6の可能な実施形態のいずれか1つに準拠している、第7の可能な実施形態においては、送信端は、車載デバイスまたはロードサイドユニットを含む。
【００５６】
それに対応するように、本発明の第10の態様は、送信端をさらに提供しており、送信端は、
第1のタイプの制御情報の第1の時間ドメインリソースおよび第1のタイプの制御情報のスケジューリング済みデータを決定するように構成される、処理モジュールであって、
処理モジュールは、第2のタイプの制御情報の第2の時間ドメインリソースおよび第2のタイプの制御情報のスケジューリング済みデータを決定するようにさらに構成される、処理モジュールと、
第2のタイプの制御情報または第2のタイプの制御情報のスケジューリング済みデータがプリセット条件を満たしているかどうかを決定するように構成される、決定モジュールと、
第2のタイプの制御情報または第2のタイプの制御情報のスケジューリング済みデータがプリセット条件を満たしている場合には、第1の時間ドメインリソースにおいて第2のタイプの制御情報および第2のタイプの制御情報のスケジューリング済みデータを送信するように構成される、送信モジュールとを含む。
【００５７】
第10の態様の第1の可能な実施形態においては、
プリセット条件は、
第2のタイプの制御情報のスケジューリング済みデータの優先度が第1のタイプの制御情報のスケジューリング済みデータの優先度より高い、
第2のタイプの制御情報のデータタイプのスケジューリング済みデータがトリガ型イベントであるとともに、第1のタイプの制御情報のデータタイプのスケジューリング済みデータが周期的イベントである、または、
第2の時間ドメインリソースの伝送期間が第1の時間ドメインリソースの伝送期間より大きくない、といった条件のうちの少なくとも1つを含む。
【００５８】
第10の態様の第2の可能な実施形態においては、
第2のタイプの制御情報は、
第2のタイプの制御情報のスケジューリング済みデータの優先度指示情報、
第2のタイプの制御情報のスケジューリング済みデータのデータタイプ指示情報であって、データタイプ指示情報は、第2のタイプの制御情報のスケジューリング済みデータがイベントトリガ型であるかどうかを示すために使用される、データタイプ指示情報、または、
第2のタイプの制御情報のスケジューリング済みデータの伝送期間指示情報、といった情報のうちの少なくとも1つを含む。
【００５９】
第10の態様または第10の態様の第1もしくは第2の可能な実施形態に準拠している、第3の可能な実施形態においては、送信モジュールは、
第1の時間ドメインリソースの現在の伝送期間が終了した後に、第2のタイプの制御情報および第2のタイプの制御情報のスケジューリング済みデータを送信する、または、第1の時間ドメインリソースの現在の伝送期間内に第2のタイプの制御情報および第2のタイプの制御情報のスケジューリング済みデータを送信するように特に構成される。
【００６０】
第10の態様または第10の態様の第1から第3の可能な実施形態のいずれか1つに準拠している、第4の可能な実施形態においては、第2のタイプの制御情報および第2のタイプの制御情報のスケジューリング済みデータを完全に送信した後に、送信モジュールは、第1の時間ドメインリソースにおいて第1のタイプの制御情報の第1のタイプの制御情報および/またはスケジューリング済みデータを送信し続ける、または、
第1の時間ドメインリソースにおいて第1のタイプの制御情報の第1のタイプの制御情報および/またはスケジューリング済みデータを再送信するようにさらに構成される。
【００６１】
第10の態様または第10の態様の第1から第4の可能な実施形態のいずれか1つに準拠している、第5の可能な実施形態においては、第1の時間ドメインリソースは、J個のチャイルド時間ドメインリソースグループを含み、各チャイルド時間ドメインリソースグループは、少なくとも1つのチャイルド時間ドメインリソースを含み、Jは、1未満ではない正の整数である。
【００６２】
第10の態様の第5の可能な実施形態に準拠している、第6の可能な実施形態においては、
送信モジュールは、
第2のタイプの制御情報および少なくとも2つのチャイルド時間ドメインリソースグループ内の第2のタイプの制御情報のスケジューリング済みデータを送信するように特に構成される。
【００６３】
第10の態様または第10の態様の第1から第6の可能な実施形態のいずれか1つに準拠している、第7の可能な実施形態においては、送信端は、車載デバイスまたはロードサイドユニットを含む。
【００６４】
それに対応するように、本発明の第11の態様は、送信端をさらに提供しており、送信端は、プロセッサ、メモリ、およびネットワークインターフェースを含み、メモリは、プログラムのセットを記憶し、プロセッサは、送信端が第9の態様の一部またはすべてのステップを行うことができるように、メモリに記憶されているプログラムを起動するように構成される。
【００６５】
それに対応するように、本発明の第12の態様は、コンピュータ記憶媒体をさらに提供しており、コンピュータ記憶媒体は、プログラムを記憶しており、実行される際に、プログラムは、第9の態様の一部またはすべてのステップを含む。
【００６６】
本発明の第13の態様は、制御情報伝送方法をさらに提供しており、方法は、
受信端によって、第1のタイプの制御情報の第1の時間ドメインリソースおよび第1のタイプの制御情報のスケジューリング済みデータを決定するステップと、
受信端によって、第2のタイプの制御情報の第2の時間ドメインリソースおよび第2のタイプの制御情報のスケジューリング済みデータを決定するステップと、
受信端が第1の時間ドメインリソースにおいて第2のタイプの制御情報およびスケジューリング済みデータを検出すると、第2のタイプの制御情報に従って第2のタイプの制御情報のスケジューリング済みデータを受信するステップとを含む。
【００６７】
第13の態様の第1の可能な実施形態においては、方法は、
受信端が第1の時間ドメインリソースにおいて第2のタイプの制御情報およびスケジューリング済みデータを検出すると、第2のタイプの制御情報または第2のタイプの制御情報のスケジューリング済みデータがプリセット条件を満たしているかどうかを決定するステップと、
第2のタイプの制御情報または第2のタイプの制御情報のスケジューリング済みデータがプリセット条件を満たしている場合には、受信端によって、第2のタイプの制御情報に従って第2のタイプの制御情報のスケジューリング済みデータを受信するステップを行うステップとをさらに含む。
【００６８】
第13の態様の第1の可能な実施形態に準拠している、第2の可能な実施形態においては、プリセット条件は、
第2のタイプの制御情報のスケジューリング済みデータの優先度が第1のタイプの制御情報のスケジューリング済みデータの優先度より高い、
第2のタイプの制御情報のデータタイプのスケジューリング済みデータがトリガ型イベントであるとともに、第1のタイプの制御情報のデータタイプのスケジューリング済みデータが周期的イベントである、または、
第2の時間ドメインリソースの伝送期間が第1の時間ドメインリソースの伝送期間より大きくない、といった条件のうちの少なくとも1つを含む。
【００６９】
第13の態様または第13の態様の第1もしくは第2の可能な実施形態に準拠している、第3の可能な実施形態においては、第2のタイプの制御情報は、
第2のタイプの制御情報のスケジューリング済みデータの優先度指示情報、
第2のタイプの制御情報のスケジューリング済みデータのデータタイプ指示情報であって、データタイプ指示情報は、第2のタイプの制御情報のスケジューリング済みデータがイベントトリガ型であるかどうかを示すために使用される、データタイプ指示情報、または、
第2のタイプの制御情報のスケジューリング済みデータの伝送期間指示情報、といった情報のうちの少なくとも1つを含む。
【００７０】
第13の態様または第13の態様の第1から第3の可能な実施形態のいずれか1つに準拠している、第4の可能な実施形態においては、方法は、
第1の時間ドメインリソースにおいて第2のタイプの制御情報およびスケジューリング済みデータを検出した際に、受信端が第1のタイプの制御情報および第1のタイプの制御情報のスケジューリング済みデータを受信している場合には、第1のタイプの制御情報および第1のタイプの制御情報のスケジューリング済みデータを受信することを破棄または停止するステップをさらに含む。
【００７１】
第13の態様または第13の態様の第1から第4の可能な実施形態のいずれか1つに準拠している、第5の可能な実施形態においては、第1の時間ドメインリソースは、J個のチャイルド時間ドメインリソースグループを含み、各チャイルド時間ドメインリソースグループは、少なくとも1つのチャイルド時間ドメインリソースを含み、Jは、1未満ではない正の整数である。
【００７２】
第13の態様または第13の態様の第1から第5の可能な実施形態のいずれか1つに準拠している、第6の可能な実施形態においては、受信端は、車載デバイスまたはロードサイドユニットを含む。
【００７３】
それに対応するように、本発明の第14の態様は、受信端をさらに提供しており、受信端は、
第1のタイプの制御情報の第1の時間ドメインリソースおよび第1のタイプの制御情報のスケジューリング済みデータを決定するように構成される、処理モジュールであって、
処理モジュールは、第2のタイプの制御情報の第2の時間ドメインリソースおよび第2のタイプの制御情報のスケジューリング済みデータを決定するようにさらに構成される、処理モジュールと、
受信端が第1の時間ドメインリソースにおいて第2のタイプの制御情報およびスケジューリング済みデータを検出すると、第2のタイプの制御情報に従って第2のタイプの制御情報のスケジューリング済みデータを受信するように構成される、受信モジュールとを含む。
【００７４】
第14の態様の第1の可能な実施形態においては、受信モジュールは、
受信端が第1の時間ドメインリソースにおいて第2のタイプの制御情報およびスケジューリング済みデータを検出すると、第2のタイプの制御情報または第2のタイプの制御情報のスケジューリング済みデータがプリセット条件を満たしているかどうかを決定し、第2のタイプの制御情報または第2のタイプの制御情報のスケジューリング済みデータがプリセット条件を満たしている場合には、第2のタイプの制御情報に従って第2のタイプの制御情報のスケジューリング済みデータを受信するようにさらに構成される。
【００７５】
第14の態様の第1の可能な実施形態に準拠している、第2の可能な実施形態においては、プリセット条件は、
第2のタイプの制御情報のスケジューリング済みデータの優先度が第1のタイプの制御情報のスケジューリング済みデータの優先度より高い、
第2のタイプの制御情報のデータタイプのスケジューリング済みデータがトリガ型イベントであるとともに、第1のタイプの制御情報のデータタイプのスケジューリング済みデータが周期的イベントである、または、
第2の時間ドメインリソースの伝送期間が第1の時間ドメインリソースの伝送期間より大きくない、といった条件のうちの少なくとも1つを含む。
【００７６】
第14の態様または第14の態様の第1もしくは第2の可能な実施形態に準拠している、第3の可能な実施形態においては、第2のタイプの制御情報は、
第2のタイプの制御情報のスケジューリング済みデータの優先度指示情報、
第2のタイプの制御情報のスケジューリング済みデータのデータタイプ指示情報であって、データタイプ指示情報は、第2のタイプの制御情報のスケジューリング済みデータがイベントトリガ型であるかどうかを示すために使用される、データタイプ指示情報、または、
第2のタイプの制御情報のスケジューリング済みデータの伝送期間指示情報、といった情報のうちの少なくとも1つを含む。
【００７７】
第14の態様または第14の態様の第1から第3の可能な実施形態のいずれか1つに準拠している、第4の可能な実施形態においては、受信モジュールは、
第1の時間ドメインリソースにおいて第2のタイプの制御情報およびスケジューリング済みデータを検出した際に、受信端が第1のタイプの制御情報および第1のタイプの制御情報のスケジューリング済みデータを受信している場合には、第1のタイプの制御情報および第1のタイプの制御情報のスケジューリング済みデータを受信することを破棄または停止するようにさらに構成される。
【００７８】
第14の態様または第14の態様の第1から第4の可能な実施形態のいずれか1つに準拠している、第5の可能な実施形態においては、第1の時間ドメインリソースは、J個のチャイルド時間ドメインリソースグループを含み、各チャイルド時間ドメインリソースグループは、少なくとも1つのチャイルド時間ドメインリソースを含み、Jは、1未満ではない正の整数である。
【００７９】
第14の態様または第14の態様の第1から第5の可能な実施形態のいずれか1つに準拠している、第6の可能な実施形態においては、受信端は、車載デバイスまたはロードサイドユニットを含む。
【００８０】
それに対応するように、本発明の第15の態様は、送信端をさらに提供しており、送信端は、プロセッサ、メモリ、およびネットワークインターフェースを含み、メモリは、プログラムのセットを記憶し、プロセッサは、送信端が第13の態様の一部またはすべてのステップを行うことができるように、メモリに記憶されているプログラムを起動するように構成される。
【００８１】
それに対応するように、本発明の第16の態様は、コンピュータ記憶媒体をさらに提供しており、コンピュータ記憶媒体は、プログラムを記憶しており、実行される際に、プログラムは、第13の態様の一部またはすべてのステップを含む。
【００８２】
本発明の実施形態は、以下の有益な効果を有する。
【００８３】
制御情報の時間ドメインリソースと制御情報のスケジューリング済みデータの時間ドメインリソースとが、独立して設定されることはなく、制御情報の時間ドメインリソースは、制御情報のスケジューリング済みデータの時間ドメインリソースのサブセットであり、受信端は、同一のリソースプールにおいて制御情報と制御情報のスケジューリング済みデータとを検出することができる。このことは、受信端が2つのリソースプールにおいて制御情報とスケジューリング済みデータとをそれぞれ検出していた従来技術と比較して、データ検出の成功率を改善し、伝送遅延を短縮し、さらに通信システムの信頼性を改善している。
【００８４】
本発明の実施形態をより明確に説明するために、実施形態を説明するのに必要となる添付の図面を以下に簡単に説明する。以下の説明における添付の図面が本発明の一部の実施形態を示しているにすぎず、当業者が創造的努力なしにこれらの添付の図面から他の図面をさらに導出し得ることは明らかであろう。
【図面の簡単な説明】
【００８５】
【図１】既存のD2D通信における制御情報と制御情報のスケジューリング済みデータとの間の関係の図である。
【図２】車のインターネットの概略図である。
【図３】本発明の実施形態による、制御情報伝送方法の概略フローチャートである。
【図４】ビットマッピングの概略図である。
【図５ａ】ある制御情報の概略リソース図である。
【図５ｂ】別の制御情報の概略リソース図である。
【図５ｃ】別の制御情報の概略リソース図である。
【図５ｄ】別の制御情報の概略リソース図である。
【図６ａ】ある制御情報とその制御情報のスケジューリング済みデータとの間の周波数ドメインの位置関係の図である。
【図６ｂ】別の制御情報とその制御情報のスケジューリング済みデータとの間の周波数ドメインの位置関係の図である。
【図６ｃ】さらに別の制御情報とその制御情報のスケジューリング済みデータとの間の周波数ドメインの位置関係の図である。
【図７】本発明の実施形態による、別の制御情報伝送方法の概略フローチャートである。
【図８】本発明の実施形態による、送信端の概略構造図である。
【図９】本発明の実施形態による、別の送信端の概略構造図である。
【図１０】本発明の実施形態による、受信端の概略構造図である。
【図１１】本発明の実施形態による、別の送信端の概略構造図である。
【図１２】本発明の実施形態による、さらに別の制御情報伝送方法の概略フローチャートである。
【図１３】本発明の実施形態による、さらに別の制御情報伝送方法の概略フローチャートである。
【図１４】本発明の実施形態による、さらに別の送信端の概略構造図である。
【図１５】本発明の実施形態による、さらに別の送信端の概略構造図である。
【図１６】本発明の実施形態による、さらに別の受信端の概略構造図である。
【図１７】本発明の実施形態による、さらに別の送信端の概略構造図である。
【発明を実施するための形態】
【００８６】
本発明の実施形態における添付の図面を参照して、本発明の実施形態における技術的解決手法を以下に明確かつ完全に説明する。説明した実施形態が本発明の実施形態のすべてではなく一部にすぎないことは明らかであろう。創造的努力なしに本発明の実施形態に基づいて当業者によって得られる他の実施形態のすべては、本発明の保護範囲に含まれるものとする。
【００８７】
本節では本発明の各実施形態におけるいくつかの基本概念をまず説明する。
【００８８】
本発明は、様々な通信状況に適用され、詳細には、比較的高い信頼性を必要とする状況に適用される。車のインターネットを本発明の実施形態における例として使用する。図2に示したように、車のインターネットの状況は以下を含み得る。
少なくとも1つの車載デバイス(すなわち、UE 1、UE2、およびUE3)と、車載デバイスとは、互いに通信し得る。通信中には、セルラリンクの2GHzなどといった共有周波数スペクトルが使用され得るし、または、例えば5.9GHz付近の周波数スペクトルもしくは日本の周波数スペクトルの700MHzなどの別の国の周波数スペクトルといったインテリジェントトラフィック周波数スペクトルが使用され得る。このことは、本発明に限定されない。車載デバイス間の相互通信の技術は、LTEプロトコルに基づいて高度化され得る、または、D2D技術に基づいて高度化され得る。車載デバイス間の相互通信は、一対一のユニキャストリンクであり得る、または、一対多のマルチキャストリンクであり得る。このことは、本発明に限定されない。
【００８９】
車載デバイスは、パーソナルコンピュータ、タブレットコンピュータ、スマートフォンなどであり得る、または、車両内に設置されたデバイスユニットであり得る。
【００９０】
1つまたは複数のロードサイドユニット(Road Side Unit、RSU)は、各車載デバイスおよび/または各基地局デバイスと通信するように構成される、または、RSU間の相互通信のために使用され得る。
【００９１】
1つまたは複数の基地局デバイスは、各車載デバイスおよび各ロードサイドユニットと通信するように構成される。基地局デバイスは、GSM(登録商標)またはCDMAにおける基地局(Base Transceiver Station、BTS)であり得るし、WCDMA(登録商標)における基地局(NodeB、NB)であり得るし、またはLTEにおける発展型NodeB(Evolutional Node B、eNB)であり得る。基地局デバイスはオプションであり、基地局デバイスが存在している場合にはネットワークカバレッジを有する状況が存在する、または、基地局デバイスが存在しない場合にはネットワークカバレッジを有しない状況が存在することに留意されたい。
【００９２】
本発明の実施形態においては、送信端は、車載デバイスまたはロードサイドユニットを含み得るし、受信端は、車載デバイスまたはロードサイドユニットを含み得る。本発明の実施形態における制御情報伝送方法に従って、通信システムの信頼性を改善し得る。図3および図6に対応する実施形態を使用して別々に以下に詳細な説明をする。
【００９３】
図3を参照すれば、図3は、本発明の実施形態に従って制御情報伝送方法の概略フローチャートである。本発明の本実施形態を送信端の観点から説明する。図3に示したように、方法は、以下のステップを含む。
【００９４】
ステップS31: 送信端が、ある伝送期間内にスケジューリング済みデータを送信するために使用される第1の時間ドメインリソースおよびスケジューリング済みデータの制御情報を送信するために使用される第2の時間ドメインリソースを決定する、ここで、第2の時間ドメインリソースは、第1の時間ドメインリソースのサブセットである。
【００９５】
特に、送信端は、システムによって提供された時間ドメインリソースからプリセット指示方式で第1の時間ドメインリソースを決定し、第1の時間ドメインリソースからプリセット指示方式で第2の時間ドメインリソースを決定する。プリセット指示方式は、ビットマッピング値、所定のフィールド、テーブル指示、および長さタイプ値指示を含むがそれらに限定されず、ビットマッピング値を本発明の本実施形態における対応する説明のための例として使用する。
【００９６】
スケジューリング済みデータの伝送期間が320msである、すなわち、伝送期間が320個のサブフレームを含むと仮定する。しかしながら、320個のサブフレームすべてがデバイス・ツー・デバイス通信のために使用されるわけではない。送信端は、シグナリング指示に従って320個のサブフレームからデバイス・ツー・デバイス通信のために使用されるサブフレームを決定し、その後、デバイス・ツー・デバイス通信のために使用されるサブフレームから送信端のデータを送信するために使用されるデータサブフレームを決定し得る。ここで、決定したデータサブフレームは、第1の時間ドメインリソースを形成する。
【００９７】
ビットマッピング値をプリセット指示方式の例として使用し、送信端は、システムによって提供された時間ドメインリソースから長さがSである時間リソースパターン(Time Resource Pattern、TRP)を使用して第1の時間ドメインリソースを決定し得る。Sは、シグナリングで設定されるまたは事前に定義される。本発明における時間ドメインリソースの基本ユニットをサブフレームを使用して説明し得るし、サブフレームによって占有される時間の長さは、事前に定義されており、時間の長さの値は、現行のLTEプロトコルにおける1msの長さと同様であってもよい、または、10ms、0.5ms、0.1msなどであってもよい。このことは、本発明に限定されない。本発明の本実施形態においては、説明を簡潔にするために、1msの長さを説明のための例として使用する。
【００９８】
320個のサブフレームのうちの24個のサブフレームがデバイス・ツー・デバイス通信のために使用され得るとともに、S=8、すなわち、24個のサブフレームが3つのグループに分類され、各グループが8つのビットを使用してデータサブフレームを示すと仮定する。図4に示したように、第1のグループにおいて、第2番目のサブフレームおよび第6番目のサブフレームが送信端のデータを送信するために使用され得る場合には、1つのユニットとしてSを使用した分割によって得られる残りの2つのグループは同一の位置に現れる。ここで、1つのグループを1つのチャイルド時間ドメインリソースと称してもよい。Kは、送信端のデータを送信するために使用される各チャイルド時間ドメインリソースにおけるデータサブフレームの数量を示し、Kは、1未満ではない正の整数であり、Kの値は、シグナリングで設定されるまたは事前に定義され得る。
【００９９】
オプションの実施形態においては、第2の時間ドメインリソースは、M個のチャイルド時間ドメインリソースを含み得るし、各チャイルド時間ドメインリソースは、制御情報を送信するために使用されるK個のサブフレームを含み、Mは、1未満ではない正の整数であり、Mの値は、シグナリングで設定されるまたは事前に定義され得る。M=2かつK=1の場合については、制御情報の概略リソース図を図5aに示し得る。M=2かつK=4の場合については、制御情報の概略リソース図を図5bに示し得る。
【０１００】
別のオプションの実施形態においては、第2の時間ドメインリソースは、制御情報を送信するために使用されるN個のサブフレームを含み、Nは、1未満ではない正の整数であり、Nの値は、シグナリングで設定されるまたは事前に定義され得る。N=4かつK=1の場合については、制御情報の概略リソース図を図5cに示し得る、すなわち、第2の時間ドメインリソースは、4つのチャイルド時間ドメインリソースを含む。N=4かつK=4の場合については、制御情報の概略リソース図を図5dに示し得る、すなわち、第2の時間ドメインリソースは、1つのチャイルド時間ドメインリソースを含む。
【０１０１】
さらに、第2の時間ドメインリソースの開始サブフレームは、第1の時間ドメインリソースの開始サブフレームがプリセットオフセット値を使用してオフセットされた後に、決定される。送信端は、プリセットオフセット値を使用して第2の時間ドメインリソースの開始サブフレームを決定し、その結果、データコンフリクトを低減している。
【０１０２】
オプションの実施形態においては、プリセットオフセット値は0である、すなわち、送信端は、第2の時間ドメインリソースの開始サブフレームとして第1の時間ドメインリソースの第1のチャイルド時間ドメインリソースの開始サブフレームを決定する。図5a、図5b、図6a、および図6b中のプリセットオフセット値はすべての0である。
【０１０３】
別のオプションの実施形態においては、プリセットオフセット値は、Q個の候補値を含み、Qは、1未満ではない正の整数である。
【０１０４】
Q=1の場合には、1つの候補値のみがオフセット値として使用されていることを示す。候補値が1である場合には、送信端は、第2の時間ドメインリソースの開始サブフレームとして第1の時間ドメインリソースの第2のチャイルド時間ドメインリソースの開始サブフレームを決定する。
【０１０５】
Q=3の場合には、3つの候補値がオフセット値として使用されていることを示す。候補値が1、2、または3である場合には、送信端は、第2の時間ドメインリソースの開始サブフレームとして第1の時間ドメインリソースの第1、第2、または第3のチャイルド時間ドメインリソースの開始サブフレームを決定し得る。送信端は、複数の候補値から1つの候補値を選択して開始サブフレームを決定し得る、その結果、データコンフリクトをさらに低減している。
【０１０６】
さらに、送信端は、制御情報によって占有されるプリセットステップサイズsc-stepおよび時間リソースsc-lenに関連して第2の時間ドメインリソースの開始サブフレームをさらに決定し得る。スケジューリング済みデータの伝送期間が320msのままであり、sc-len=40msであり、sc-step=80msであり、オフセット値offset=0である場合には、各伝送期間内の制御情報の開始サブフレームは、{0、40ms、120ms、200ms、280ms}を有し得る。
【０１０７】
受信端については、受信端は、プリセットオフセット値に従って、または、プリセットオフセット値にさらに従って、sc-step、およびsc-len、制御情報の第2の時間ドメインリソースの開始サブフレームを決定し、開始サブフレームの可能性がある位置で制御情報を検出する必要がある。
【０１０８】
本発明の本実施形態においては、制御情報の時間ドメインリソースと制御情報のスケジューリング済みデータの時間ドメインリソースとが、独立して設定されることはなく、制御情報の時間ドメインリソースは、制御情報のスケジューリング済みデータの時間ドメインリソースのサブセットであり、受信端は、同一のリソースプールにおいて制御情報と制御情報のスケジューリング済みデータとを検出することができる。このことは、受信端が2つのリソースプールにおいて制御情報とスケジューリング済みデータとをそれぞれ検出していた従来技術と比較して、データ検出の成功率を改善し、伝送遅延を短縮し、さらに通信システムの信頼性を改善している。さらに、制御情報を送信するために使用される第2の時間ドメインリソースは、制御情報のスケジューリング済みデータを送信するために使用される第1の時間ドメインリソースに含まれ、第2の時間ドメインリソースの特定サイズのセットは、パラメータを使用して設定される。このことは、制御情報のエラー率を低減するだけでなく、スケジューリング済みデータのバッファされているデータサブフレームの数量を制限することになり、それによって、パフォーマンスを保証しつつ受信端によってバッファされるデータの量を低減している。
【０１０９】
ステップS32: 送信端が、第2の時間ドメインリソース上で制御情報を送信する、ここで、制御情報は、スケジューリング済みデータを受信するように受信端に命令するために使用されるパラメータを含む。パラメータは、制御情報のスケジューリング済みデータの時間ドメイン位置指示情報、周波数ドメイン位置指示情報、変調方式および符号化率、およびタイミングアドバンス指示情報を含むが、それらに限定されない。
【０１１０】
第2の時間ドメインリソースがM個のチャイルド時間ドメインリソースを含むとともに、各チャイルド時間ドメインリソースが制御情報を送信するために使用されるK個のサブフレームを含んでいる場合には、送信端は、所定の方式で第2の時間ドメインリソースのL個のサブフレームにおいて制御情報を送信し得る、ここで、L=M*Kである。
【０１１１】
第2の時間ドメインリソースが制御情報を送信するために使用されるN個のサブフレームを含んでいる場合には、送信端は、所定の方式で複数の時間の間にN個のサブフレームにおいて制御情報を送信し得る。
【０１１２】
特に、送信端は、所定の時間ドメイン位置決定方式で第2の時間ドメインリソースから制御情報の時間ドメインの位置を決定し、所定の周波数ドメイン位置決定方式で第2の時間ドメインリソースの周波数ドメインリソースセットから制御情報の周波数ドメインの位置を決定し得るし、送信端は、決定した時間ドメインの位置および決定した周波数ドメインの位置を使用して制御情報を送信する。
【０１１３】
所定の時間ドメイン位置決定方式は、所定のマッピングテーブルを使用した決定、所定の数式を使用した決定、または所定のルールを使用した決定を含むが、それらに限定されない。
【０１１４】
送信端は、第2の時間ドメインリソースにおいて1つの時間の間にまたは複数の時間の間に制御情報を送信し得る。複数の時間の間の送信は、同一の伝送期間内の複数の時間の間に同一の制御情報のデータパケットを送信することである。複数の時間の間の送信の回数がシグナリングで設定されるまたは事前に定義され得ることに留意されたい。
【０１１５】
制御情報が2つの時間の間に送信される場合、所定の時間ドメイン位置決定方式が所定の数式を使用した決定であると仮定すると、1回目の送信および2回目の送信のための時間-周波数位置は、それぞれ、以下の式に従って決定される。
【０１１６】
1回目の送信のための時間-周波数位置に関する式は以下の通りである。
Nt1 = mod(s,Nt)
Nf1 = floor(s/Nt)
【０１１７】
2回目の送信のための時間-周波数位置を決定するための式は以下の通りである。
Nt2 = mod(s+mod(floor(s/Nt),Ns)+1,Nt)
Nf2 = floor(Nf/2)+Nf1
ここで、sは、スケジューリング情報が伝送期間内の最後の時間の間に送信される際に、スケジューリング情報によって占有される周波数ドメインの位置である。送信端が伝送期間内の第1の時間の間にスケジューリング情報を送信する場合には、送信端は、シグナリング設定または所定の指示に従って、スケジューリング情報が第1の時間の間に送信される際にスケジューリング情報によって占有されるサブフレームおよび周波数ドメインの位置を決定し得る。
【０１１８】
Ntは、第1の時間ドメインリソースにおいて制御情報を送信するために使用されるサブフレームの総数であり、N=Nt-1であり、Ntは、M*Kに従って決定され得る、または、Nに従って決定され得る。
【０１１９】
Nfは、周波数ドメインリソースのリソースプールであり、第2の時間ドメインリソースの周波数ドメインリソースセットに従って決定される。
【０１２０】
オプションの実施形態においては、周波数ドメインリソースセットをシステム帯域幅内の周波数ドメインリソースに従って決定する。
【０１２１】
別のオプションの実施形態においては、周波数ドメインリソースセットは、少なくとも1つの以下の方式で決定される。
【０１２２】
方式1: 周波数ドメインリソースセットが、制御情報内の指示識別子によって決定される。
【０１２３】
既存のD2D技術では、制御情報は、識別子を含み、識別子は、スケジューリング済みデータのグループターゲット識別子を示すために使用される。本発明においては、従来技術における識別子であることに加えて、識別子は、サービスタイプのスケジューリング済みデータパケットを示す識別子、スケジューリング済みデータパケットのサービス優先度を示す識別子、スケジューリング済みデータパケットなどのパケットサイズを示す識別子であり得る。要するに、識別子は、制御情報内で指示される識別子であり得る。識別子IDは、制御情報の周波数ドメインの位置を決定する入力変数として使用される。
【０１２４】
方式2: 周波数ドメインリソースセットが、制御情報が位置しているサブフレームのサブフレーム番号によって決定される。ここで、サブフレーム番号は、Uuリンク上のサブフレーム番号であり得る、デバイス・ツー・デバイスリンク上のサブフレーム番号であり得る。しかしながら、いずれのタイプのサブフレーム番号にかかわらず、受信機は、制御情報を検出する前に事前にサブフレーム番号を取得することができる。サブフレーム番号は、制御情報の周波数ドメインの位置を決定する入力変数として使用される。
【０１２５】
方式3: 周波数ドメインリソースセットが、制御情報が位置しているサブフレームの無線フレーム番号によって決定される。同様に、サブフレーム番号に加えて、周波数ドメインリソースセットが無線フレーム番号を使用してさらに決定され得る。ここで、無線フレーム番号は、Uuリンク上の無線フレーム番号であり得る、または、デバイス・ツー・デバイスリンク上の無線フレーム番号であり得る。しかしながら、いずれのタイプの無線フレーム番号にかかわらず、受信機は、制御情報を検出する前に事前に無線フレーム番号を取得することができる。サブフレーム番号は、制御情報の周波数ドメインの位置を決定する入力変数として使用される。
【０１２６】
方式4: 周波数ドメインリソースセットが、制御情報が位置しているキャリアのキャリア識別子によって決定される。Uuリンク上に複数のキャリアが存在している場合には、キャリア識別子は、デバイス・ツー・デバイスリンクのスケジューリング済みおよび/または設定済みUuキャリアについての識別子である。デバイス・ツー・デバイスリンク上に複数のキャリアが存在している場合には、キャリア識別子は、現在の制御情報を送信するために使用されるとともにデバイス・ツー・デバイスリンク上にあるキャリアの識別子である。キャリア識別子は、制御情報の周波数ドメインの位置を決定する入力変数として使用される。
【０１２７】
前述の様々な実施形態においては、入力変数がxである場合には、周波数ドメイン内の制御情報の位置を決定する方式は、f(x)であり、fは、所定の関数であり、制御情報の周波数ドメインの位置のサブセットを関数を使用して決定し得る。
【０１２８】
例えば、
y=mod(a*x+b,N)である、もしくはy=a*x+bである、もしくはy=mod(floor(x/a)+b,N)である、ここで、floorは切り捨てを示している、または、y=mod(round(x/a)+b,N)である、ここで、roundは切り上げを示している。
【０１２９】
yの値は、システム帯域幅内の周波数ドメインの位置の計算後のインデックス値であり、Nは、N個の周波数ドメインの位置のセットを示す。例えば、y=0の場合には、制御情報は、システム帯域幅の第0番目のサブバンドにあり、y=1の場合には、制御情報は、システム帯域幅の第1番目のサブバンドにあり、y=N-1の場合には、制御情報は、システム帯域幅の第(N-1)番目のサブバンドにある。各サブバンドは、システム帯域幅の一部のみを占有する。
【０１３０】
方式5: 周波数ドメインリソースセットが、制御情報が物理リソースブロックにマッピングされているプリセット方式で決定される。プリセット方式は、奇数番号または偶数番号の物理リソースブロック(Physical Resource Block、PRB)のみへのマッピング、所定の定数Nの倍数となっている番号のPRBのみへのマッピングなどを含む。
【０１３１】
制御情報は、第2の時間ドメインリソースにおいて送信される、すなわち、制御情報は、第1の時間ドメインリソースにおいて送信され、第1の時間ドメインリソースは、制御情報のスケジューリング済みデータを送信するために使用される。すなわち、制御情報は、スケジューリング済みデータが位置しているサブフレームにおいて送信される。1つのキャリア上に、スケジューリング済みデータが位置しているサブフレームの帯域幅は、最大20MHzであり得る、すなわち、制御情報は、1つのキャリア上の20MHzシステム帯域幅の任意の位置で送信され得る。受信機については、受信機は、ブラインド検出によって制御情報をまず検出する必要があり、その後、制御情報のスケジューリング済みデータを受信することができる。したがって、制御情報検出を低減するための方法は、制御情報を検出するためのブラインド検出の回数を低減するために、1つのキャリア上の20MHzシステム帯域幅全体を考慮する必要がある。本発明においては、システム帯域幅内の制御情報の位置は、特定のパラメータまたは所定のルールを使用して関連付けられており、制御情報は、各サブフレーム上のシステム帯域幅の決定された部分のみを占有し得る、その結果、ブラインド検出の複雑度を低減している。
【０１３２】
さらに、伝送期間内に制御情報によって占有される第2の時間ドメインリソースのサブフレームは、スケジューリング済みデータによって占有される第1の時間ドメインリソースのサブフレームと完全に同一、部分的に同一、または全く異なる。周波数ドメイン内の制御情報と制御情報のスケジューリング済みデータとの間の位置関係が離れていても、連続していても、または交互になっていてもよいことに留意されたい。このことは、本発明に限定されない。
【０１３３】
制御情報によって占有される第2の時間ドメインリソースのサブフレームは、スケジューリング済みデータによって占有される第1の時間ドメインリソースのサブフレームと完全に同一である。この場合には、制御情報および制御情報のスケジューリング済みデータは、同一の時間の間に送信される。制御情報が1つの伝送期間内の1つの時間の間に送信されると仮定すると、制御情報および制御情報のスケジューリング済みデータは、図6aに示したように、同一のサブフレームを占有することになる。
【０１３４】
制御情報によって占有される第2の時間ドメインリソースのサブフレームは、スケジューリング済みデータによって占有される第1の時間ドメインリソースのサブフレームと部分的に同一である。この場合には、制御情報および制御情報のスケジューリング済みデータは、同一または異なる時間の間に送信されてもよい。制御情報および制御情報のスケジューリング済みデータが同一の時間の間に送信され、制御情報が1つの伝送期間内の2つの時間の間に送信され、ある制御情報およびその制御情報のスケジューリング済みデータが同一のサブフレームを占有していると仮定すると、別の制御情報およびその制御情報のスケジューリング済みデータは、図6bに示したように、異なるサブフレームを占有することになる。
【０１３５】
制御情報によって占有される第2の時間ドメインリソースのサブフレームは、スケジューリング済みデータによって占有される第1の時間ドメインリソースのサブフレームとは全く異なる。この場合には、制御情報および制御情報のスケジューリング済みデータは、同一または異なる時間の間に送信されてもよい。制御情報および制御情報のスケジューリング済みデータが同一の時間の間に送信され、制御情報が1つの伝送期間内の1つの時間の間に送信されると仮定すると、制御情報および制御情報のスケジューリング済みデータは、図6cに示したように、異なるサブフレームを占有することになる。
【０１３６】
時間ドメイン内の制御サブフレーム(すなわち、制御情報を送信するために使用されるサブフレーム)とデータサブフレームとの間の相対的関係にかかわらず、送信端のスケジューリング済みデータを検出するために、受信端は、制御情報をまず正確に検出する必要があることに留意されたい。例えば、制御情報が、2つの時間の間に送信され、制御情報が第1の時間の間に送信されたリソース位置で制御情報を受信端が検出できなかった場合には、受信端は、制御情報が再度送信された位置で制御情報を検出する必要がある。制御情報および制御情報のスケジューリング済みデータが同一のサブフレームにおいて送信されているかどうかにかかわらず、制御情報が第1の時間の間に現れる位置では制御情報が検出されないため、最悪の場合には、受信端は、検出されることになるデータ情報すべてが位置するリソースプールに、すべてのサブフレームをバッファリングする必要がある。しかしながら、本発明における方法においては、制御情報が位置している第2の時間ドメインリソースは、第1の時間ドメインリソース上で設定され、受信端多くても第2の時間ドメインリソースのサイズを有するサブフレームデータのみをバッファリングする必要があるようになる、その結果、受信端によるバッファリングの複雑度が低減され、検出パフォーマンスには影響しない。
【０１３７】
図3に示した実施形態においては、制御情報の時間ドメインリソースと制御情報のスケジューリング済みデータの時間ドメインリソースとが、独立して設定されることはなく、制御情報の時間ドメインリソースは、制御情報のスケジューリング済みデータの時間ドメインリソースのサブセットであり、受信端は、同一のリソースプールにおいて制御情報と制御情報のスケジューリング済みデータとを検出することができる。このことは、受信端が2つのリソースプールにおいて制御情報とスケジューリング済みデータとをそれぞれ検出していた従来技術と比較して、データ検出の成功率を改善し、伝送遅延を短縮し、さらに通信システムの信頼性を改善している。
【０１３８】
図7を参照すれば、図7は、本発明の実施形態に従って別の制御情報伝送方法の概略フローチャートである。本発明の本実施形態を受信端の観点から説明する。図7に示したように、方法は、以下のステップを含む。
【０１３９】
ステップS71: 受信端が、ある伝送期間内にスケジューリング済みデータの制御情報を送信するために使用される第2の時間ドメインリソースを決定する、ここで、第2の時間ドメインリソースは、第1の時間ドメインリソースのサブセットであり、第1の時間ドメインリソースは、伝送期間内のスケジューリング済みデータの時間ドメインリソースである。
【０１４０】
特に、送信端は、プリセット指示方式で第1の時間ドメインリソースから第2の時間ドメインリソースを決定し得る。プリセット指示方式は、ビットマッピング値、所定のフィールド、テーブル指示、および長さタイプ値指示を含むがそれらに限定されず、ビットマッピング値を本発明の本実施形態における対応する説明のための例として使用する。
【０１４１】
どのようにして受信端がプリセット指示方式で第1の時間ドメインリソースから第2の時間ドメインリソースを決定するかに関する詳細については、送信端側に対応する前述の説明を参照すればよいため、その詳細をここでは再び説明しないことに留意されたい。
【０１４２】
第2の時間ドメインリソースの開始サブフレームは、第1の時間ドメインリソースの開始サブフレームがプリセットオフセット値を使用してオフセットされた後に、決定される。
【０１４３】
オプションの実施形態においては、プリセットオフセット値は0である、すなわち、受信端は、第2の時間ドメインリソースの開始サブフレームとして第1の時間ドメインリソースの第1のチャイルド時間ドメインリソースの開始サブフレームを決定する。図5a、図5b、図5c、および図5d中のプリセットオフセット値はすべての0である。
【０１４４】
別のオプションの実施形態においては、プリセットオフセット値は、Q個の候補値を含み、Qは、1未満ではない正の整数である。
【０１４５】
Q=1の場合には、1つの候補値のみがオフセット値として使用されていることを示す。候補値が1である場合には、受信端は、第2の時間ドメインリソースの開始サブフレームとして第1の時間ドメインリソースの第2のチャイルド時間ドメインリソースの開始サブフレームを決定する。
【０１４６】
Q=3の場合には、3つの候補値がオフセット値として使用されていることを示す。候補値が1、2、または3である場合には、受信端は、第2の時間ドメインリソースの開始サブフレームとして第1の時間ドメインリソースの第1、第2、または第3のチャイルド時間ドメインリソースの開始サブフレームを決定し得る。
【０１４７】
さらに、受信端は、制御情報によって占有されるプリセットステップサイズsc-stepおよび時間リソースsc-lenに関連して第2の時間ドメインリソースの開始サブフレームをさらに決定し得る。スケジューリング済みデータの伝送期間が320msのままであり、sc-len=40msであり、sc-step=80msであり、オフセット値offset=0である場合には、各伝送期間内の制御情報の開始サブフレームは、{0、40ms、120ms、200ms、280ms}を有し得る。
【０１４８】
受信端は、プリセットオフセット値に従って、または、プリセットオフセット値にさらに従って、sc-step、およびsc-len、制御情報の第2の時間ドメインリソースの開始サブフレームを決定し、開始サブフレームの可能性がある位置で制御情報を検出する必要がある。
【０１４９】
本発明の本実施形態においては、制御情報の時間ドメインリソースと制御情報のスケジューリング済みデータの時間ドメインリソースとが、独立して設定されることはなく、制御情報の時間ドメインリソースは、制御情報のスケジューリング済みデータの時間ドメインリソースのサブセットであり、受信端は、同一のリソースプールにおいて制御情報と制御情報のスケジューリング済みデータとを検出することができる。このことは、受信端が2つのリソースプールにおいて制御情報とスケジューリング済みデータとをそれぞれ検出していた従来技術と比較して、データ検出の成功率を改善し、伝送遅延を短縮し、さらに通信システムの信頼性を改善している。
【０１５０】
オプションの実施形態においては、第2の時間ドメインリソースは、M個のチャイルド時間ドメインリソースを含み、各チャイルド時間ドメインリソースは、制御情報を送信するために使用されるK個のサブフレームを含み、MおよびKは、シグナリングで設定されまたは事前に定義され、MおよびKは、1未満ではない正の整数である。M=2かつK=1の場合については、制御情報の概略リソース図を図5aに示し得る。M=2かつK=4の場合については、制御情報の概略リソース図を図5bに示し得る。
【０１５１】
別のオプションの実施形態においては、第2の時間ドメインリソースは、制御情報を送信するために使用されるN個のサブフレームを含み、Nは、シグナリングで設定されまたは事前に定義され、Nは、1未満ではない正の整数である。N=4かつK=1の場合については、制御情報の概略リソース図を図5cに示し得る、すなわち、第2の時間ドメインリソースは、4つのチャイルド時間ドメインリソースを含む。N=4かつK=4の場合については、制御情報の概略リソース図を図5dに示し得る、すなわち、第2の時間ドメインリソースは、1つのチャイルド時間ドメインリソースを含む。
【０１５２】
本発明の本実施形態においては、制御情報を送信するために使用される第2の時間ドメインリソースは、制御情報のスケジューリング済みデータを送信するために使用される第1の時間ドメインリソースに含まれ、第2の時間ドメインリソースの特定サイズのセットは、パラメータを使用して設定される。このことは、制御情報のエラー率を低減するだけでなく、スケジューリング済みデータのバッファされているデータサブフレームの数量を制限することになり、それによって、パフォーマンスを保証しつつ受信端によってバッファされるデータの量を低減している。
【０１５３】
ステップS72: 受信端が、第2の時間ドメインリソース上で制御情報を受信する、ここで、制御情報は、スケジューリング済みデータを受信するように受信端に命令するために使用されるパラメータを含む。パラメータは、制御情報のスケジューリング済みデータの時間ドメイン位置指示情報、周波数ドメイン位置指示情報、変調方式および符号化率、およびタイミングアドバンス指示情報を含むが、それらに限定されない。
【０１５４】
必要に応じて、受信端は、所定の時間ドメイン位置決定方式で第2の時間ドメインリソースにおける制御情報の時間ドメインの位置を決定し、周波数ドメインリソースセットに従って決定した時間ドメインの位置で制御情報を検出および受信し得る。送信端は、第2の時間ドメインリソースにおいて1つの時間の間にまたは複数の時間の間に制御情報を送信し得るし、複数の時間の間の送信の回数は、受信端にシグナリングで設定されるまたは事前に定義され得る。
【０１５５】
所定の時間ドメイン位置決定方式は、所定のマッピングテーブルを使用した決定、所定の数式を使用した決定、または所定のルールを使用した決定を含むが、それらに限定されない。
【０１５６】
制御情報が2つの時間の間に送信され、所定の時間ドメイン位置決定方式が所定の数式を使用した決定であると仮定する。受信端は、1回目の受信および2回目の受信においてそれぞれ使用される時間ドメインの位置を以下の式に従って決定し得る。
【０１５７】
1回目の受信のための時間ドメインの位置に関する式は以下の通りである。
Nt1 = mod(s,Nt)
【０１５８】
2回目の受信のための時間ドメインの位置に関する式は以下の通りである。
Nt2 = mod(s+mod(floor(s/Nt),Ns)+1,Nt)
ここで、sは、スケジューリング情報が伝送期間内の最後の時間の間に送信される際に、スケジューリング情報によって占有される周波数ドメインの位置である。送信端が伝送期間内の第1の時間の間にスケジューリング情報を送信する場合には、送信端は、シグナリング設定または所定の指示に従って、スケジューリング情報が第1の時間の間に送信される際にスケジューリング情報によって占有されるサブフレームおよび周波数ドメインの位置を決定し得る。
【０１５９】
Ntは、第1の時間ドメインリソースにおいて制御情報を送信するために使用されるサブフレームの総数であり、N=Nt-1であり、Ntは、M*Kに従って決定され得る、または、Nに従って決定され得る。
【０１６０】
受信端は、周波数ドメインリソースセットに従って、1回目の受信の時間ドメインの位置でおよび2回目の受信の時間ドメインの位置で制御情報を別々に検出する。
【０１６１】
オプションの実施形態においては、受信端は、システム帯域幅内の周波数ドメインの位置に従って周波数ドメインリソースセットを決定し得る。
【０１６２】
別のオプションの実施形態においては、周波数ドメインリソースセットは、少なくとも1つの以下の方式で決定される。
【０１６３】
方式1: 周波数ドメインリソースセットが、制御情報内の指示識別子によって決定される。
【０１６４】
既存のD2D技術では、制御情報は、識別子を含み、識別子は、スケジューリング済みデータのグループターゲット識別子を示すために使用される。本発明においては、従来技術における識別子であることに加えて、識別子は、サービスタイプのスケジューリング済みデータパケットを示す識別子、スケジューリング済みデータパケットのサービス優先度を示す識別子、スケジューリング済みデータパケットなどのパケットサイズを示す識別子であり得る。要するに、識別子は、制御情報内で指示される識別子であり得る。識別子IDは、制御情報の周波数ドメインの位置を決定する入力変数として使用される。
【０１６５】
方式2: 周波数ドメインリソースセットが、制御情報が位置しているサブフレームのサブフレーム番号によって決定される。ここで、サブフレーム番号は、Uuリンク上のサブフレーム番号であり得る、デバイス・ツー・デバイスリンク上のサブフレーム番号であり得る。しかしながら、いずれのタイプのサブフレーム番号にかかわらず、受信機は、制御情報を検出する前に事前にサブフレーム番号を取得することができる。サブフレーム番号は、制御情報の周波数ドメインの位置を決定する入力変数として使用される。
【０１６６】
方式3: 周波数ドメインリソースセットが、制御情報が位置しているサブフレームの無線フレーム番号によって決定される。同様に、サブフレーム番号に加えて、周波数ドメインリソースセットが無線フレーム番号を使用してさらに決定され得る。ここで、無線フレーム番号は、Uuリンク上の無線フレーム番号であり得る、または、デバイス・ツー・デバイスリンク上の無線フレーム番号であり得る。しかしながら、いずれのタイプの無線フレーム番号にかかわらず、受信機は、制御情報を検出する前に事前に無線フレーム番号を取得することができる。サブフレーム番号は、制御情報の周波数ドメインの位置を決定する入力変数として使用される。
【０１６７】
方式4: 周波数ドメインリソースセットが、制御情報が位置しているキャリアのキャリア識別子によって決定される。Uuリンク上に複数のキャリアが存在している場合には、キャリア識別子は、デバイス・ツー・デバイスリンクのスケジューリング済みおよび/または設定済みUuキャリアについての識別子である。デバイス・ツー・デバイスリンク上に複数のキャリアが存在している場合には、キャリア識別子は、現在の制御情報を送信するために使用されるとともにデバイス・ツー・デバイスリンク上にあるキャリアの識別子である。キャリア識別子は、制御情報の周波数ドメインの位置を決定する入力変数として使用される。
【０１６８】
前述の様々な実施形態においては、入力変数がxである場合には、周波数ドメイン内の制御情報の位置を決定する方式は、f(x)であり、fは、所定の関数であり、制御情報の周波数ドメインの位置のサブセットを関数を使用して決定し得る。
【０１６９】
例えば、
y=mod(a*x+b,N)である、もしくはy=a*x+bである、もしくはy=mod(floor(x/a)+b,N)である、ここで、floorは切り捨てを示している、または、y=mod(round(x/a)+b,N)である、ここで、roundは切り上げを示している。
【０１７０】
yの値は、システム帯域幅内の周波数ドメインの位置の計算後のインデックス値であり、Nは、N個の周波数ドメインの位置のセットを示す。例えば、y=0の場合には、制御情報は、システム帯域幅の第0番目のサブバンドにあり、y=1の場合には、制御情報は、システム帯域幅の第1番目のサブバンドにあり、y=N-1の場合には、制御情報は、システム帯域幅の第(N-1)番目のサブバンドにある。各サブバンドは、システム帯域幅の一部のみを占有する。
【０１７１】
方式5: 周波数ドメインリソースセットが、制御情報が物理リソースブロックにマッピングされているプリセット方式で決定される。プリセット方式は、奇数番号または偶数番号のPRBのみへのマッピング、所定の定数Nの倍数となっている番号のPRBのみへのマッピングなどを含む。
【０１７２】
制御情報は、第2の時間ドメインリソースにおいて送信される、すなわち、制御情報は、第1の時間ドメインリソースにおいて送信され、第1の時間ドメインリソースは、制御情報のスケジューリング済みデータを送信するために使用される。すなわち、制御情報は、スケジューリング済みデータが位置しているサブフレームにおいて送信される。1つのキャリア上に、スケジューリング済みデータが位置しているサブフレームの帯域幅は、最大20MHzであり得る、すなわち、制御情報は、1つのキャリア上の20MHzシステム帯域幅の任意の位置で送信され得る。受信機については、受信機は、ブラインド検出によって制御情報をまず検出する必要があり、その後、制御情報のスケジューリング済みデータを受信することができる。したがって、制御情報検出を低減するための方法は、制御情報を検出するためのブラインド検出の回数を低減するために、1つのキャリア上の20MHzシステム帯域幅全体を考慮する必要がある。本発明においては、システム帯域幅内の制御情報の位置は、特定のパラメータまたは所定のルールを使用して関連付けられており、制御情報は、各サブフレーム上のシステム帯域幅の決定された部分のみを占有し得る、その結果、ブラインド検出の複雑度を低減している。
【０１７３】
受信端は、決定された送信位置で制御情報を検出し、制御情報のパラメータに従って制御情報のスケジューリング済みデータを受信する。当業者であればどのように受信端が制御情報のパラメータに従って制御情報のスケジューリング済みデータを受信するかは理解できるであろうため、詳細をここでは説明していないことに留意されたい。
【０１７４】
さらに、受信端は、決定された送信位置で制御情報を引き続き検出するとともに、受信端が現在の送信位置で制御情報を検出しなかった場合には、次の送信位置で制御情報を検出する。特に、送信端が第2の時間ドメインリソースにおいて複数の時間の間に制御情報を送信する場合には、受信端は、対応する送信位置で制御情報を検出し得るし、受信端が現在の送信位置で制御情報を検出しなかった場合には、次の送信位置で制御情報を直ちに検出する。
【０１７５】
時間ドメイン内の制御サブフレーム(すなわち、制御情報を送信するために使用されるサブフレーム)とデータサブフレームとの間の相対的関係にかかわらず、送信端のスケジューリング済みデータを検出するために、受信端は、制御情報をまず正確に検出する必要があることに留意されたい。例えば、制御情報が、2つの時間の間に送信され、制御情報が第1の時間の間に送信されたリソース位置で制御情報を受信端が検出できなかった場合には、受信端は、制御情報が再度送信された位置で制御情報を検出する必要がある。制御情報および制御情報のスケジューリング済みデータが同一のサブフレームにおいて送信されているかどうかにかかわらず、制御情報が第1の時間の間に現れる位置では制御情報が検出されないため、最悪の場合には、受信端は、検出されることになるデータ情報すべてが位置するリソースプールに、すべてのサブフレームをバッファリングする必要がある。しかしながら、本発明における方法においては、制御情報が位置している第2の時間ドメインリソースは、第1の時間ドメインリソース上で設定され、受信端多くても第2の時間ドメインリソースのサイズを有するサブフレームデータのみをバッファリングする必要があるようになる、その結果、受信端によるバッファリングの複雑度が低減され、検出パフォーマンスには影響しない。
【０１７６】
図7に示した実施形態においては、制御情報の時間ドメインリソースと制御情報のスケジューリング済みデータの時間ドメインリソースとが、独立して設定されることはなく、制御情報の時間ドメインリソースは、制御情報のスケジューリング済みデータの時間ドメインリソースのサブセットであり、受信端は、同一のリソースプールにおいて制御情報と制御情報のスケジューリング済みデータとを検出することができる。このことは、受信端が2つのリソースプールにおいて制御情報とスケジューリング済みデータとをそれぞれ検出していた従来技術と比較して、データ検出の成功率を改善し、伝送遅延を短縮し、さらに通信システムの信頼性を改善している。
【０１７７】
図8を参照すれば、図8は、本発明の実施形態に従って送信端の概略構造図である。送信端8は、図3を参照して示した方法の実施形態における一部またはすべてのステップを実施するように構成され得る。図8に示した送信端は、処理モジュール81および送信モジュール82を含み得る。
【０１７８】
処理モジュール81は、ある伝送期間内にスケジューリング済みデータを送信するために使用される第1の時間ドメインリソースおよびスケジューリング済みデータの制御情報を送信するために使用される第2の時間ドメインリソースを決定するように構成される、ここで、第2の時間ドメインリソースは、第1の時間ドメインリソースのサブセットである。プリセット指示方式は、ビットマッピング値、所定のフィールド、テーブル指示、および長さタイプ値指示を含むがそれらに限定されず、ビットマッピング値を本発明の本実施形態における対応する説明のための例として使用する。
【０１７９】
必要に応じて、処理モジュール81は、ビットマッピング方式で、システムによって提供された時間ドメインリソースから第1の時間ドメインリソースを決定し得るし、処理モジュール81は、ビットマッピング方式で、第2の時間ドメインリソースにおいて提供されたリソースから第2の時間ドメインリソースを決定し得る。
【０１８０】
オプションの実施形態においては、第2の時間ドメインリソースは、M個のチャイルド時間ドメインリソースを含み、各チャイルド時間ドメインリソースは、制御情報を送信するために使用されるK個のサブフレームを含み、MおよびKは、シグナリングで設定されまたは事前に定義され、MおよびKは、1未満ではない正の整数である。
【０１８１】
別のオプションの実施形態においては、第2の時間ドメインリソースは、制御情報を送信するために使用されるN個のサブフレームを含み、Nは、シグナリングで設定されまたは事前に定義され、Nは、1未満ではない正の整数である。
【０１８２】
さらに、第2の時間ドメインリソースの開始サブフレームは、第1の時間ドメインリソースの開始サブフレームがプリセットオフセット値を使用してオフセットされた後に、決定される。処理モジュール81は、プリセットオフセット値を使用して第2の時間ドメインリソースの開始サブフレームを決定し、その結果、データコンフリクトを低減している。
【０１８３】
オプションの実施形態においては、プリセットオフセット値は0である、すなわち、処理モジュール81は、第2の時間ドメインリソースの開始サブフレームとして第1の時間ドメインリソースの第1のチャイルド時間ドメインリソースの開始サブフレームを決定する。図5a、図5b、図5c、および図5d中のプリセットオフセット値はすべての0である。
【０１８４】
別のオプションの実施形態においては、プリセットオフセット値は、Q個の候補値を含み、Qは、1未満ではない正の整数である。
【０１８５】
Q=1の場合には、1つの候補値のみがオフセット値として使用されていることを示す。候補値が1である場合には、処理モジュール81は、第2の時間ドメインリソースの開始サブフレームとして第1の時間ドメインリソースの第2のチャイルド時間ドメインリソースの開始サブフレームを決定する。
【０１８６】
Q=3の場合には、3つの候補値がオフセット値として使用されていることを示す。候補値が1、2、または3である場合には、処理モジュール81は、第2の時間ドメインリソースの開始サブフレームとして第1の時間ドメインリソースの第1、第2、または第3のチャイルド時間ドメインリソースの開始サブフレームを決定し得る。処理モジュール81は、複数の候補値から1つの候補値を選択して開始サブフレームを決定し得る、その結果、データコンフリクトをさらに低減している。
【０１８７】
さらに、処理モジュール81は、制御情報によって占有されるプリセットステップサイズsc-stepおよび時間リソースsc-lenに関連して第2の時間ドメインリソースの開始サブフレームをさらに決定し得る。スケジューリング済みデータの伝送期間が320msのままであり、sc-len=40msであり、sc-step=80msであり、オフセット値offset=0である場合には、各伝送期間内の制御情報の開始サブフレームは、{0、40ms、120ms、200ms、280ms}を有し得る。
【０１８８】
送信モジュール82は、第2の時間ドメインリソース上で制御情報を送信するように構成される、ここで、制御情報は、スケジューリング済みデータを受信するように受信端に命令するために使用されるパラメータを含む。パラメータは、制御情報のスケジューリング済みデータの時間ドメイン位置指示情報、周波数ドメイン位置指示情報、変調方式および符号化率、およびタイミングアドバンス指示情報を含むが、それらに限定されない。
【０１８９】
第2の時間ドメインリソースがM個のチャイルド時間ドメインリソースを含むとともに、各チャイルド時間ドメインリソースが制御情報を送信するために使用されるK個のサブフレームを含んでいる場合には、送信モジュール82は、所定の方式で第2の時間ドメインリソースのL個のサブフレームにおいて制御情報を送信し得る、ここで、L=M*Kである。
【０１９０】
第2の時間ドメインリソースが制御情報を送信するために使用されるN個のサブフレームを含んでいる場合には、送信モジュール82は、所定の方式で複数の時間の間にN個のサブフレームにおいて制御情報を送信し得る。
【０１９１】
送信モジュール82は、
所定の時間ドメイン位置決定方式で第2の時間ドメインリソースから制御情報の時間ドメインの位置を決定するとともに、所定の周波数ドメイン位置決定方式で第2の時間ドメインリソースの周波数ドメインリソースセットから制御情報の周波数ドメインの位置を決定し、決定した時間ドメインの位置および決定した周波数ドメインの位置を使用して制御情報を送信するように特に構成され得る。
【０１９２】
第2の時間ドメインリソースの周波数ドメインリソースセットは、
制御情報内の指示識別子によって決定される、
制御情報が位置しているサブフレームのサブフレーム番号によって決定される、
制御情報が位置しているサブフレームの無線フレーム番号によって決定される、
制御情報が位置しているキャリアのキャリア識別子によって決定される、または、
制御情報が物理リソースブロックにマッピングされているプリセット方式で決定される方式のうちの少なくとも1つで決定される。
【０１９３】
プリセットオフセット値は、Q個の候補値を含み、Qは、シグナリングで設定されまたは事前に定義され、Qは、1未満ではない正の整数である。
【０１９４】
さらに、伝送期間内に制御情報によって占有される第2の時間ドメインリソースのサブフレームは、スケジューリング済みデータによって占有される第1の時間ドメインリソースのサブフレームと完全に同一、部分的に同一、または全く異なる。
【０１９５】
本実施形態における送信端8の各機能モジュールの機能が前述の方法の実施形態における方法に従って特に実装され得ることを理解されよう。詳細については、図3中の方法の実施形態における関連する説明を参照すればよいため、詳細をここでは再び説明しない。
【０１９６】
図9を参照すれば、図9は、本発明の実施形態に従って別の送信端の概略構造図である。本発明の本実施形態において提供した送信端は、図3に示した前述の実施形態において実施した方法を実施するように構成され得る。説明を簡潔にするために、本発明の本実施形態に関連している部分のみを図示している。開示していない特定の技術的詳細については、図3に示した本発明の実施形態を参照されたい。
【０１９７】
図9に示したように、送信端9は、少なくとも1つのプロセッサ91、例えば、CPU、少なくとも1つの通信バス92、メモリ93、およびネットワークインターフェース94を含み得る。通信バス92は、これらのコンポーネント間の接続および通信を実施するように構成される。ネットワークインターフェース94は、標準的な有線インターフェース、および無線インターフェース(WI-FIインターフェースなど)を含み得るし、外部ネットワークと通信するように構成される。メモリ93は、少なくとも1つの磁気ディスクメモリなどといった、高速RAMメモリまたは不揮発性メモリ(non-volatile memory)であり得る。あるいは、メモリ93は、プロセッサ91から遠く隔たったところに位置する少なくとも1つのストレージ装置であり得る。
【０１９８】
メモリ93は、プログラムコードのグループを記憶し、プロセッサ91は、メモリ93に記憶されているプログラムコードを起動するように構成され、
ある伝送期間内にスケジューリング済みデータを送信するために使用される第1の時間ドメインリソースおよびスケジューリング済みデータの制御情報を送信するために使用される第2の時間ドメインリソースを決定することであって、第2の時間ドメインリソースは、第1の時間ドメインリソースのサブセットである、ことと、
ネットワークインターフェース94を使用して第2の時間ドメインリソース上で制御情報を送信することであって、制御情報は、スケジューリング済みデータを受信するように受信端に命令するために使用されるパラメータを含む、ことといった動作を行うように構成される。
【０１９９】
特に、本発明の本実施形態において説明した送信端は、図3を参照して本発明において説明した方法の実施形態における一部またはすべての手続きを実施するように構成され得る。
【０２００】
図10を参照すれば、図10は、本発明の実施形態に従って受信端の概略構造図である。受信端10は、図7を参照して示した方法の実施形態における一部またはすべてのステップを実施するように構成され得る。図10に示した受信端は、処理モジュール101および受信モジュール102を含み得る。
【０２０１】
処理モジュール101は、ある伝送期間内にスケジューリング済みデータの制御情報を送信するために使用される第2の時間ドメインリソースを決定するように構成される、ここで、第2の時間ドメインリソースは、第1の時間ドメインリソースのサブセットであり、第1の時間ドメインリソースは、伝送期間内のスケジューリング済みデータの時間ドメインリソースである。
【０２０２】
オプションの実施形態においては、第2の時間ドメインリソースは、M個のチャイルド時間ドメインリソースを含み、各チャイルド時間ドメインリソースは、制御情報を送信するために使用されるK個のサブフレームを含み、MおよびKは、シグナリングで設定されまたは事前に定義され、MおよびKは、1未満ではない正の整数である。
【０２０３】
別のオプションの実施形態においては、第2の時間ドメインリソースは、制御情報を送信するために使用されるN個のサブフレームを含み、Nは、シグナリングで設定されまたは事前に定義され、Nは、1未満ではない正の整数である。
【０２０４】
さらに、第2の時間ドメインリソースの開始サブフレームは、第1の時間ドメインリソースの開始サブフレームがプリセットオフセット値を使用してオフセットされた後に、決定される。
【０２０５】
プリセットオフセット値は、Q個の候補値を含み、Qは、シグナリングで設定されまたは事前に定義され、Qは、1未満ではない正の整数である。
【０２０６】
受信モジュール102は、第2の時間ドメインリソース上で制御情報を受信するように構成される、ここで、制御情報は、スケジューリング済みデータを受信するように受信端に命令するために使用されるパラメータを含む。
【０２０７】
受信モジュール102は、
所定の時間ドメイン位置決定方式で第2の時間ドメインリソースにおける制御情報の時間ドメインの位置を決定するとともに、周波数ドメインリソースセットに従って決定した時間ドメインの位置で制御情報を検出および受信するように特に構成される。
【０２０８】
さらに、受信モジュール102は、
周波数ドメインリソースセットに従って決定した時間ドメインの位置で制御情報を引き続き検出するとともに、制御情報が現在の時間ドメインの位置で検出されなかった場合には、次の時間ドメインの位置で制御情報を検出するようにさらに特に構成され得る。
【０２０９】
第2の時間ドメインリソースの周波数ドメインリソースセットは、
制御情報内の指示識別子によって決定される、
制御情報が位置しているサブフレームのサブフレーム番号によって決定される、
制御情報が位置しているサブフレームの無線フレーム番号によって決定される、
制御情報が位置しているキャリアのキャリア識別子によって決定される、または、
制御情報が物理リソースブロックにマッピングされているプリセット方式で決定される方式のうちの少なくとも1つで決定される。
【０２１０】
本実施形態における受信端10の各機能モジュールの機能が前述の方法の実施形態における方法に従って特に実装され得ることを理解されよう。詳細については、図7中の方法の実施形態における関連する説明を参照すればよいため、詳細をここでは再び説明しない。
【０２１１】
図11を参照すれば、図11は、本発明の実施形態に従って別の受信端の概略構造図である。本発明の本実施形態において提供した受信端は、図7に示した前述の実施形態において実施した方法を実施するように構成され得る。説明を簡潔にするために、本発明の本実施形態に関連している部分のみを図示している。開示していない特定の技術的詳細については、図7に示した本発明の実施形態を参照されたい。
【０２１２】
図11に示したように、受信端11は、少なくとも1つのプロセッサ111、例えば、CPU、少なくとも1つの通信バス112、メモリ113、およびネットワークインターフェース114を含み得る。通信バス112は、これらのコンポーネント間の接続および通信を実施するように構成される。ネットワークインターフェース114は、標準的な有線インターフェース、および無線インターフェース(WI-FIインターフェースなど)を含み得るし、外部ネットワークと通信するように構成される。メモリ113は、少なくとも1つの磁気ディスクメモリなどといった、高速RAMメモリまたは不揮発性メモリ(non-volatile memory)であり得る。あるいは、メモリ113は、プロセッサ111から遠く隔たったところに位置する少なくとも1つのストレージ装置であり得る。
【０２１３】
メモリ113は、プログラムコードのグループを記憶し、プロセッサ111は、メモリ113に記憶されているプログラムコードを起動するように構成され、
ある伝送期間内にスケジューリング済みデータの制御情報を送信するために使用される第2の時間ドメインリソースを決定することであって、第2の時間ドメインリソースは、第1の時間ドメインリソースのサブセットであり、第1の時間ドメインリソースは、伝送期間内のスケジューリング済みデータの時間ドメインリソースである、ことと、
ネットワークインターフェース114を使用して第2の時間ドメインリソース上で制御情報を受信することであって、制御情報は、スケジューリング済みデータを受信するように受信端に命令するために使用されるパラメータを含む、ことといった動作を行うように構成される。
【０２１４】
特に、本発明の本実施形態において説明した受信端は、図7を参照して本発明において説明した方法の実施形態における一部またはすべての手続きを実施するように構成され得る。
【０２１５】
本発明は、コンピュータ記憶媒体をさらに提供しており、コンピュータ記憶媒体は、プログラムを記憶しており、実行される際に、プログラムは、図3中の方法の一部またはすべてのステップを含む。
【０２１６】
本発明は、コンピュータ記憶媒体をさらに提供しており、コンピュータ記憶媒体は、プログラムを記憶しており、実行される際に、プログラムは、図7中の方法の一部またはすべてのステップを含む。
【０２１７】
本発明の本実施形態は、重要なデータの伝送遅延を低減するために、プリセット条件を満たす重要なデータに対してタイムリーに送信する機構を提供し得る制御情報伝送方法を提供している。図12および図13を参照して詳細を別々に説明する。
【０２１８】
図12を参照すれば、図12は、本発明の実施形態に従って別の制御情報伝送方法の概略構造図である。本発明の本実施形態を送信端の観点から説明する。図12に示したように、方法は、以下のステップを含む。
【０２１９】
ステップS121: 送信端が、第1のタイプの制御情報の第1の時間ドメインリソースおよび第1のタイプの制御情報のスケジューリング済みデータを決定する。
【０２２０】
特に、送信端は、システムによって提供された時間ドメインリソースからプリセット指示方式で第1の時間ドメインリソースを決定する。プリセット指示方式は、ビットマッピング値、所定のフィールド、テーブル指示、および長さタイプ値指示を含むがそれらに限定されず、ビットマッピング値を例として使用する。
【０２２１】
スケジューリング済みデータの伝送期間が320msである、すなわち、伝送期間が320個のサブフレームを含むと仮定する。しかしながら、320個のサブフレームすべてがデバイス・ツー・デバイス通信のために使用されるわけではない。送信端は、シグナリング指示に従って320個のサブフレームからデバイス・ツー・デバイス通信のために使用されるサブフレームを決定し、その後、デバイス・ツー・デバイス通信のために使用されるサブフレームから送信端のデータを送信するために使用されるデータサブフレームを決定し得る。ここで、決定したデータサブフレームは、第1の時間ドメインリソースを形成する。
【０２２２】
ビットマッピング値をプリセット指示方式の例として使用し、送信端は、システムによって提供された時間ドメインリソースから長さがSであるTRPを使用して第1の時間ドメインリソースを決定し得る。Sは、シグナリングで設定されるまたは事前に定義される。本発明における時間ドメインリソースの基本ユニットをサブフレームを使用して説明し得るし、サブフレームによって占有される時間の長さは、事前に定義されており、時間の長さの値は、現行のLTEプロトコルにおける1msの長さと同様であってもよい、または、10ms、0.5ms、0.1msなどであってもよい。このことは、本発明に限定されない。本発明の本実施形態においては、説明を簡潔にするために、1msの長さを説明のための例として使用する。
【０２２３】
320個のサブフレームのうちの24個のサブフレームがデバイス・ツー・デバイス通信のために使用され得るとともに、S=8、すなわち、24個のサブフレームが3つのグループに分類され、各グループが8つのビットを使用してデータサブフレームを示すと仮定する。図4に示したように、第1のグループにおいて、第2番目のサブフレームおよび第6番目のサブフレームが送信端のデータを送信するために使用され得る場合には、1つのユニットとしてSを使用した分割によって得られる残りの2つのグループは同一の位置に現れる。ここで、1つのグループを1つのチャイルド時間ドメインリソースと称してもよい。Kは、送信端のデータを送信するために使用される各チャイルド時間ドメインリソースにおけるデータサブフレームの数量を示し、Kは、1未満ではない正の整数であり、Kの値は、シグナリングで設定されるまたは事前に定義され得る。
【０２２４】
第1の時間ドメインリソースはシグナリングで指示されたリソースまたは事前に定義されたリソースであり得るし、送信端が第1の時間ドメインリソースにおいて第2のタイプの制御情報および第2のタイプの制御情報のスケジューリング済みデータを送信する前は、第1の時間ドメインリソースは、現時点では送信端によって使用される時間ドメインリソースであり得る、または、現時点では別の送信端によって使用される時間ドメインリソースであり得ることに留意されたい。必要に応じて、第1の時間ドメインリソースはまた、アイドル時間ドメインリソースであり得る。
【０２２５】
ステップS122: 送信端が、第2のタイプの制御情報の第2の時間ドメインリソースおよび第2のタイプの制御情報のスケジューリング済みデータを決定する。
【０２２６】
送信端は、システムによって提供された時間ドメインリソースからプリセット指示方式で第2の時間ドメインリソースを決定する。特定の指示については、第1の時間ドメインリソースの説明を参照すればよいため、詳細をここでは再び説明しない。
【０２２７】
さらに、第1の時間ドメインリソースは、J個のチャイルド時間ドメインリソースグループを含み、各チャイルド時間ドメインリソースグループは、少なくとも1つのチャイルド時間ドメインリソースを含み、Jは、1未満ではない正の整数である。
【０２２８】
第1の時間ドメインリソースを複数のチャイルド時間ドメインリソースグループに分割し、ある期間として第1の時間ドメインリソースを使用して重要ではないデータ(低優先度データおよび周期的データなど)を送信してもよく、ある期間としてチャイルド時間ドメインリソースグループを使用して重要なデータ(高優先度データおよびイベントトリガ型データなど)を送信してもよく、その結果、重要なデータは、より多くのリソースを占有することができ、可能な限り迅速に完全に送信され得るし、重要なデータの伝送遅延がさらに短縮されている。
【０２２９】
ステップS123: 送信端が、第2のタイプの制御情報または第2のタイプの制御情報のスケジューリング済みデータがプリセット条件を満たしているかどうかを決定し、第2のタイプの制御情報または第2のタイプの制御情報のスケジューリング済みデータがプリセット条件を満たしている場合には、ステップS124を行う、または、第2のタイプの制御情報または第2のタイプの制御情報のスケジューリング済みデータがプリセット条件を満たしていない場合には、ステップS125を行う。
【０２３０】
プリセット条件は、少なくとも1つの以下の条件を含む。
【０２３１】
第2のタイプの制御情報のスケジューリング済みデータの優先度が第1のタイプの制御情報のスケジューリング済みデータの優先度より高い。優先度は、スケジューリング済みデータの緊急性、遅延耐性、サービスの品質(QoS: Quality of Service)要件、伝送周波数、伝送間隔、または伝送期間などに従って決定され得る。第2のタイプの制御情報のスケジューリング済みデータのより高い優先度は、より緊急性の高い第2のタイプの制御情報、第2のタイプの制御情報のより短い伝送遅延、第2のタイプの制御情報のより高いQoS要件、第2のタイプの制御情報のより高い伝送周波数、または、第2のタイプの制御情報のより短い伝送期間もしくは間隔といったことのうちの少なくとも1つに対応している。
【０２３２】
第2のタイプの制御情報のデータタイプのスケジューリング済みデータは、例えば、イベントトリガ型非常ブレーキ、車両故障、または衝突警告といった、トリガ型イベントである。しかしながら、第1のタイプの制御情報のデータタイプのスケジューリング済みデータは、例えば、車両の位置情報および速度情報などの周期的に送信される通常データといった、周期的イベントであり、非イベントトリガ型である。
【０２３３】
第2の時間ドメインリソースの伝送期間が第1の時間ドメインリソースの伝送期間より大きくない。すなわち、第2の時間ドメインリソースにおいて制御情報および制御情報のスケジューリング済みデータを送信するために使用されるサブフレームの数量は、第1の時間ドメインリソースにおいて制御情報および制御情報のスケジューリング済みデータを送信するために使用されるサブフレームの数量以下である。
【０２３４】
第2のタイプの制御情報は、
第2のタイプの制御情報のスケジューリング済みデータの優先度指示情報、
第2のタイプの制御情報のスケジューリング済みデータのデータタイプ指示情報であって、データタイプ指示情報は、第2のタイプの制御情報のスケジューリング済みデータがイベントトリガ型であるかどうかを示すために使用される、データタイプ指示情報、または、
第2のタイプの制御情報のスケジューリング済みデータの伝送期間指示情報、といった情報のうちの少なくとも1つを含む。
【０２３５】
さらに、送信端は、第2のタイプの制御情報および少なくとも2つのチャイルド時間ドメインリソースグループ内の第2のタイプの制御情報のスケジューリング済みデータを送信し得る、その結果、重要なデータは、リソースを占有することができる。
【０２３６】
ステップS124: 送信端が、第1の時間ドメインリソースにおいて第2のタイプの制御情報および第2のタイプの制御情報のスケジューリング済みデータを送信する。
【０２３７】
第2のタイプの制御情報および第2のタイプの制御情報のスケジューリング済みデータがプリセット条件を満たしている場合には、それは、第2のタイプの制御情報のスケジューリング済みデータの優先度が第1のタイプの制御情報のスケジューリング済みデータの優先度より高い、または、第2のタイプの制御情報のデータタイプのスケジューリング済みデータがトリガ型イベントである、または、第2の時間ドメインリソースのリソース数量が十分ではない、または、リソースコンフリクトが所定の値を超過していることを示し、送信端は、第1の時間ドメインリソースにおいて第2のタイプの制御情報および第2のタイプの制御情報のスケジューリング済みデータを送信する。このことは、第2のタイプの制御情報および第2のタイプの制御情報のスケジューリング済みデータを第2の時間ドメインリソースにおいてのみ送信することができる従来技術と比較して、重要なデータの伝送遅延を短縮している。
【０２３８】
オプションの実施形態においては、送信端は、第1の時間ドメインリソースの現在の伝送期間が終了した後に、第2のタイプの制御情報および第2のタイプの制御情報のスケジューリング済みデータを送信し得るし、この場合には、送信端は、当該時点で第1の時間ドメインリソースにおいて第1のタイプの制御情報または第1のタイプの制御情報のスケジューリング済みデータを送信しているまたは送信していない。
【０２３９】
別のオプションの実施形態においては、送信端は、第1の時間ドメインリソースの現在の伝送期間内に第2のタイプの制御情報および第2のタイプの制御情報のスケジューリング済みデータを送信し得るし、この場合には、送信端現時点が第1の時間ドメインリソースにおいて第1のタイプの制御情報または第1のタイプの制御情報のスケジューリング済みデータを送信する場合には、送信端は、送信を停止し得る、または、第1のタイプの制御情報の第1のタイプの制御情報および/またはスケジューリング済みデータを破棄し得る。
【０２４０】
送信端は、以下の方式で第1の時間ドメインリソースにおいて第2のタイプの制御情報および第2のタイプの制御情報のスケジューリング済みデータを特に送信し得る。
【０２４１】
方式1: 送信端が、第1の時間ドメインリソースから少なくとも1つのチャイルド時間ドメインリソースグループを選択して、第2のタイプの制御情報および第2のタイプの制御情報のスケジューリング済みデータを送信する、ここで、選択されたチャイルド時間ドメインリソースグループは、第2の制御情報の少なくとも1つのデータパケットを有する。
【０２４２】
さらに、第2のタイプの制御情報のスケジューリング済みデータが第1の時間ドメインリソースの現在の伝送期間内に完全に送信された場合には、送信端は、第1の時間ドメインリソースの次の伝送期間内の第2のタイプの制御情報のスケジューリング済みデータを送信し続け得る。
【０２４３】
方式2: 送信端が、第1の時間ドメインリソースの伝送期間の時間間隔で第2のタイプの制御情報および制御情報のスケジューリング済みデータを送信する。例えば、第2の時間ドメインリソースの伝送期間は、第1の時間ドメインリソースの伝送期間より大きくなく、第2の時間ドメインリソースに対応する第2のタイプの制御情報のスケジューリング済みデータは、比較的低い優先度の周期的データである。リソースを節約するために、送信端は、第1の時間ドメインリソースの伝送期間の時間間隔で第2の制御情報および第2のタイプの制御情報のスケジューリング済みデータを送信してもよい。
【０２４４】
方式3: 送信端が、第1の時間ドメインリソースにおいて第2のタイプの制御情報の少なくとも一部および第2のタイプの制御情報のスケジューリング済みデータ少なくとも一部を送信する。
【０２４５】
方式4: 送信端が、ある期間に従って第1の時間ドメインリソースにおいて第2のタイプの制御情報およびスケジューリング済みデータを送信し得る。期間は、第1の時間ドメインリソースの第1の時間ドメインリソースおよび/または少なくとも1つの時間ドメインリソースグループの少なくとも1つの伝送期間であり得る。期間は、シグナリングで設定されるまたは事前に定義され得る。
【０２４６】
第2のタイプの制御情報に占有される第1の時間ドメインリソースのサブフレームがスケジューリング済みデータによって占有される第1の時間ドメインリソースのサブフレームと完全に同一、部分的に同一、または全く異なることに留意されたい。
【０２４７】
さらに、送信端が第1の時間ドメインリソースの現在の伝送期間内に第1のタイプの制御情報またはスケジューリング済みデータを送信する場合には、第2のタイプの制御情報を完全に送信した後に、送信端はさらに、第1の時間ドメインリソースにおいて第1のタイプの制御情報の第1のタイプの制御情報および/またはスケジューリング済みデータを送信し続け得る、または、第1の時間ドメインリソースにおいて第1のタイプの制御情報の第1のタイプの制御情報および/またはスケジューリング済みデータを再送信し得る。
【０２４８】
ステップS125: 送信端が、第2の時間ドメインリソースにおいて第2のタイプの制御情報および第2のタイプの制御情報のスケジューリング済みデータを送信する。
【０２４９】
第2のタイプの制御情報および第2のタイプの制御情報のスケジューリング済みデータがプリセット条件を満たしていない場合には、それは、第2のタイプの制御情報のスケジューリング済みデータが重要ではないデータであることを示しており、送信端は、第2の時間ドメインリソースにおいて第2のタイプの制御情報を送信する。
【０２５０】
図12に示した実施形態においては、第2のタイプの制御情報および第2のタイプの制御情報のスケジューリング済みデータがプリセット条件を満たしている場合には、それは、第2のタイプの制御情報のスケジューリング済みデータの優先度が第1のタイプの制御情報のスケジューリング済みデータの優先度より高い、または、第2のタイプの制御情報がトリガ型イベントである、または、第2の時間ドメインリソースのリソース数量が十分ではない、または、リソースコンフリクトが所定の値を超過していることなどを示し、送信端は、第1の時間ドメインリソースにおいて第2のタイプの制御情報および第2のタイプの制御情報のスケジューリング済みデータを送信する。このことは、第2のタイプの制御情報および第2のタイプの制御情報のスケジューリング済みデータを第2の時間ドメインリソースにおいてのみ送信することができる従来技術と比較して、重要なデータの伝送遅延を短縮している。
【０２５１】
図13を参照すれば、図13は、本発明の実施形態に従って別の制御情報伝送方法の概略フローチャートである。本発明の本実施形態を受信端の観点から説明する。図13に示したように、方法は、以下のステップを含む。
【０２５２】
ステップS131: 受信端が、第1のタイプの制御情報の第1の時間ドメインリソースおよび第1のタイプの制御情報のスケジューリング済みデータを決定する。
【０２５３】
特に、受信端は、システムによって提供された時間ドメインリソースからプリセット指示方式で第1の時間ドメインリソースを決定する。プリセット指示方式は、ビットマッピング値、所定のフィールド、テーブル指示、および長さタイプ値指示を含むがそれらに限定されず、ビットマッピング値を例として使用する。
【０２５４】
スケジューリング済みデータの伝送期間が320msである、すなわち、伝送期間が320個のサブフレームを含むと仮定する。しかしながら、320個のサブフレームすべてがデバイス・ツー・デバイス通信のために使用されるわけではない。受信端は、シグナリング指示に従って320個のサブフレームからデバイス・ツー・デバイス通信のために使用されるサブフレームを決定し、その後、デバイス・ツー・デバイス通信のために使用されるサブフレームから送信端のデータを送信するために使用されるデータサブフレームを決定し得る。ここで、決定したデータサブフレームは、第1の時間ドメインリソースを形成する。
【０２５５】
ビットマッピング値をプリセット指示方式の例として使用し、受信端は、システムによって提供された時間ドメインリソースから長さがSであるTRPを使用して第1の時間ドメインリソースを決定し得る。Sは、シグナリングで設定されるまたは事前に定義される。本発明における時間ドメインリソースの基本ユニットをサブフレームを使用して説明し得るし、サブフレームによって占有される時間の長さは、事前に定義されており、時間の長さの値は、現行のLTEプロトコルにおける1msの長さと同様であってもよい、または、10ms、0.5ms、0.1msなどであってもよい。このことは、本発明に限定されない。本発明の本実施形態においては、説明を簡潔にするために、1msの長さを説明のための例として使用する。
【０２５６】
320個のサブフレームのうちの24個のサブフレームがデバイス・ツー・デバイス通信のために使用され得るとともに、S=8、すなわち、24個のサブフレームが3つのグループに分類され、各グループが8つのビットを使用してデータサブフレームを示すと仮定する。図4に示したように、第1のグループにおいて、第2番目のサブフレームおよび第6番目のサブフレームが送信端のデータを送信するために使用され得る場合には、1つのユニットとしてSを使用した分割によって得られる残りの2つのグループは同一の位置に現れる。ここで、1つのグループを1つのチャイルド時間ドメインリソースと称してもよい。Kは、送信端のデータを送信するために使用される各チャイルド時間ドメインリソースにおけるデータサブフレームの数量を示し、Kは、1未満ではない正の整数であり、Kの値は、シグナリングで設定されるまたは事前に定義され得る。
【０２５７】
第1の時間ドメインリソースはシグナリングで指示されたリソースまたは事前に定義されたリソースであり得るし、受信端は第1の時間ドメインリソースにおいて第2のタイプの制御情報および第2のタイプの制御情報のスケジューリング済みデータを受信する前に第1の時間ドメインリソースにおいて第1のタイプの制御情報または第1のタイプの制御情報のスケジューリング済みデータをさらに受信し得ることに留意されたい。必要に応じて、第1の時間ドメインリソースはまた、アイドル時間ドメインリソースであり得る。
【０２５８】
ステップS132: 受信端が、第2のタイプの制御情報の第2の時間ドメインリソースおよび第2のタイプの制御情報のスケジューリング済みデータを決定する。
【０２５９】
受信端は、システムによって提供された時間ドメインリソースからプリセット指示方式で第2の時間ドメインリソースを決定する。特定の指示については、第1の時間ドメインリソースの説明を参照すればよいため、詳細をここでは再び説明しない。
【０２６０】
さらに、第1の時間ドメインリソースは、J個のチャイルド時間ドメインリソースグループを含み、各チャイルド時間ドメインリソースグループは、少なくとも1つのチャイルド時間ドメインリソースを含み、Jは、1未満ではない正の整数である。
【０２６１】
ステップS133: 受信端が第1の時間ドメインリソースにおいて第2のタイプの制御情報およびスケジューリング済みデータを検出すると、受信端が、第2のタイプの制御情報に従って第2のタイプの制御情報のスケジューリング済みデータを受信する。
【０２６２】
特に、受信端が第1の時間ドメインリソースにおいて第2のタイプの制御情報およびスケジューリング済みデータを検出すると、受信端は、第2のタイプの制御情報に従って第2のタイプの制御情報のスケジューリング済みデータを直ちに受信し得る。
【０２６３】
さらに、受信端が第1の時間ドメインリソースにおいて第2のタイプの制御情報およびスケジューリング済みデータを検出すると、受信端は、第2のタイプの制御情報または第2のタイプの制御情報のスケジューリング済みデータがプリセット条件を満たしているかどうかをさらに決定し得るし、第2のタイプの制御情報または第2のタイプの制御情報のスケジューリング済みデータがプリセット条件を満たしている場合には、受信端は、第2のタイプの制御情報に従って第2のタイプの制御情報のスケジューリング済みデータを受信する。
【０２６４】
プリセット条件は、少なくとも1つの以下の条件を含む。
【０２６５】
第2のタイプの制御情報のスケジューリング済みデータの優先度が第1のタイプの制御情報のスケジューリング済みデータの優先度より高い。優先度は、スケジューリング済みデータの緊急性、遅延耐性、サービスの品質(QoS: Quality of Service)要件、伝送周波数、伝送間隔、または伝送期間などに従って決定され得る。第2のタイプの制御情報のスケジューリング済みデータのより高い優先度は、より緊急性の高い第2のタイプの制御情報、第2のタイプの制御情報のより短い伝送遅延、第2のタイプの制御情報のより高いQoS要件、第2のタイプの制御情報のより高い伝送周波数、または、第2のタイプの制御情報のより短い伝送期間もしくは間隔といったことのうちの少なくとも1つに対応している。
【０２６６】
第2のタイプの制御情報のデータタイプのスケジューリング済みデータがトリガ型イベントであるとともに、第1のタイプの制御情報のデータタイプのスケジューリング済みデータが周期的イベントである。第2のタイプの制御情報のデータタイプのスケジューリング済みデータは、例えば、イベントトリガ型非常ブレーキ、車両故障、または衝突警告といった、トリガ型イベントである。しかしながら、第1のタイプの制御情報のデータタイプのスケジューリング済みデータは、例えば、車両の位置情報および速度情報などの周期的に送信される通常データといった、周期的イベントである。
【０２６７】
第2の時間ドメインリソースの伝送期間が第1の時間ドメインリソースの伝送期間より大きくない。すなわち、第2の時間ドメインリソースにおいて制御情報および制御情報のスケジューリング済みデータを送信するために使用されるサブフレームの数量は、第1の時間ドメインリソースにおいて制御情報および制御情報のスケジューリング済みデータを送信するために使用されるサブフレームの数量以下である。
【０２６８】
第2のタイプの制御情報は、
第2のタイプの制御情報のスケジューリング済みデータの優先度指示情報、
第2のタイプの制御情報のスケジューリング済みデータのデータタイプ指示情報であって、データタイプ指示情報は、第2のタイプの制御情報のスケジューリング済みデータがイベントトリガ型であるかどうかを示すために使用される、データタイプ指示情報、または、
第2のタイプの制御情報のスケジューリング済みデータの伝送期間指示情報、といった情報のうちの少なくとも1つを含む。
【０２６９】
必要に応じて、第1の時間ドメインリソースにおける第2のタイプの制御情報およびスケジューリング済みデータを検出した際に、受信端が第1のタイプの制御情報または第1のタイプの制御情報のスケジューリング済みデータを受信している場合には、受信端は、第1のタイプの制御情報および第1のタイプの制御情報のスケジューリング済みデータを受信することを破棄または停止する。
【０２７０】
図13に示した実施形態においては、第2のタイプの制御情報および第2のタイプの制御情報のスケジューリング済みデータがプリセット条件を満たしている場合には、それは、第2のタイプの制御情報のスケジューリング済みデータの優先度が第1のタイプの制御情報のスケジューリング済みデータの優先度より高い、または、第2のタイプの制御情報がトリガ型イベントである、または、第2の時間ドメインリソースのリソース数量が十分ではない、または、リソースコンフリクトが所定の値を超過していることなどを示し、送信端は、第1の時間ドメインリソースにおいて第2のタイプの制御情報および第2のタイプの制御情報のスケジューリング済みデータを送信する。このことは、第2のタイプの制御情報および第2のタイプの制御情報のスケジューリング済みデータを第2の時間ドメインリソースにおいてのみ送信することができる従来技術と比較して、本タイプのデータの伝送遅延を短縮している。
【０２７１】
図14を参照すれば、図14は、本発明の実施形態に従って送信端の概略構造図である。送信端14は、図12を参照して示した方法の実施形態における一部またはすべてのステップを実施するように構成され得る。図14に示した送信端は、処理モジュール141、決定モジュール142、および送信モジュール143を含み得る。
【０２７２】
処理モジュール141は、第1のタイプの制御情報の第1の時間ドメインリソースおよび第1のタイプの制御情報のスケジューリング済みデータを決定するように構成される。
【０２７３】
処理モジュール141は、第2のタイプの制御情報の第2の時間ドメインリソースおよび第2のタイプの制御情報のスケジューリング済みデータを決定するようにさらに構成される。
【０２７４】
決定モジュール142は、第2のタイプの制御情報または第2のタイプの制御情報のスケジューリング済みデータがプリセット条件を満たしているかどうかを決定するように構成される。
【０２７５】
プリセット条件は、
第2のタイプの制御情報のスケジューリング済みデータの優先度が第1のタイプの制御情報のスケジューリング済みデータの優先度より高い、
第2のタイプの制御情報のデータタイプのスケジューリング済みデータがトリガ型イベントであるとともに、第1のタイプの制御情報のデータタイプのスケジューリング済みデータが周期的イベントである、または、
第2の時間ドメインリソースの伝送期間が第1の時間ドメインリソースの伝送期間より大きくない、といった条件のうちの少なくとも1つを含む。
【０２７６】
第2のタイプの制御情報は、
第2のタイプの制御情報のスケジューリング済みデータの優先度指示情報、
第2のタイプの制御情報のスケジューリング済みデータのデータタイプ指示情報であって、データタイプ指示情報は、第2のタイプの制御情報のスケジューリング済みデータがイベントトリガ型であるかどうかを示すために使用される、データタイプ指示情報、または、
第2のタイプの制御情報のスケジューリング済みデータの伝送期間指示情報、といった情報のうちの少なくとも1つを含む。
【０２７７】
送信モジュール143は、第2のタイプの制御情報または第2のタイプの制御情報のスケジューリング済みデータがプリセット条件を満たしている場合には、第1の時間ドメインリソースにおいて第2のタイプの制御情報および第2のタイプの制御情報のスケジューリング済みデータを送信するように構成される。
【０２７８】
送信モジュール143は、
第1の時間ドメインリソースの現在の伝送期間が終了した後に、第2のタイプの制御情報および第2のタイプの制御情報のスケジューリング済みデータを送信する、または、第1の時間ドメインリソースの現在の伝送期間内に第2のタイプの制御情報および第2のタイプの制御情報のスケジューリング済みデータを送信するように特に構成され得る。
【０２７９】
さらに、第2のタイプの制御情報および第2のタイプの制御情報のスケジューリング済みデータを完全に送信した後に、送信モジュール143は、
第1の時間ドメインリソースにおいて第1のタイプの制御情報の第1のタイプの制御情報および/またはスケジューリング済みデータを送信し続ける、または、第1の時間ドメインリソースにおいて第1のタイプの制御情報の第1のタイプの制御情報および/またはスケジューリング済みデータを再送信するようにさらに構成される。
【０２８０】
必要に応じて、第1の時間ドメインリソースは、J個のチャイルド時間ドメインリソースグループを含み、送信モジュール143は、第2のタイプの制御情報および少なくとも2つのチャイルド時間ドメインリソースグループ内の第2のタイプの制御情報のスケジューリング済みデータを送信し得る。各チャイルド時間ドメインリソースグループは、少なくとも1つのチャイルド時間ドメインリソースを含み、Jは、1未満ではない正の整数である。
【０２８１】
本実施形態における送信端14の各機能モジュールの機能が前述の方法の実施形態における方法に従って特に実装され得ることを理解されよう。詳細については、図12中の方法の実施形態における関連する説明を参照すればよいため、詳細をここでは再び説明しない。
【０２８２】
図15を参照すれば、図15は、本発明の実施形態に従って別の送信端の概略構造図である。本発明の本実施形態において提供した送信端は、図12に示した前述の実施形態において実施した方法を実施するように構成され得る。説明を簡潔にするために、本発明の本実施形態に関連している部分のみを図示している。開示していない特定の技術的詳細については、図12に示した本発明の実施形態を参照されたい。
【０２８３】
図15に示したように、送信端15は、少なくとも1つのプロセッサ151、例えば、CPU、少なくとも1つの通信バス152、メモリ153、およびネットワークインターフェース154を含み得る。通信バス152は、これらのコンポーネント間の接続および通信を実施するように構成される。ネットワークインターフェース154は、標準的な有線インターフェース、および無線インターフェース(WI-FIインターフェースなど)を含み得るし、外部ネットワークと通信するように構成される。メモリ153は、少なくとも1つの磁気ディスクメモリなどといった、高速RAMメモリまたは不揮発性メモリ(non-volatile memory)であり得る。あるいは、メモリ153は、プロセッサ151から遠く隔たったところに位置する少なくとも1つのストレージ装置であり得る。
【０２８４】
メモリ153は、プログラムコードのグループを記憶し、プロセッサ151は、メモリ153に記憶されているプログラムコードを起動するように構成され、
第1のタイプの制御情報の第1の時間ドメインリソースおよび第1のタイプの制御情報のスケジューリング済みデータを決定することと、
第2のタイプの制御情報の第2の時間ドメインリソースおよび第2のタイプの制御情報のスケジューリング済みデータを決定することと、
第2のタイプの制御情報または第2のタイプの制御情報のスケジューリング済みデータがプリセット条件を満たしているかどうかを決定することと、
第2のタイプの制御情報または第2のタイプの制御情報のスケジューリング済みデータがプリセット条件を満たしている場合には、ネットワークインターフェース154を使用して第1の時間ドメインリソースにおいて第2のタイプの制御情報および第2のタイプの制御情報のスケジューリング済みデータを送信することといった動作を行うように構成される。
【０２８５】
特に、本発明の本実施形態において説明した送信端は、図12を参照して本発明において説明した方法の実施形態における一部またはすべての手続きを実施するように構成され得る。
【０２８６】
図16を参照すれば、図16は、本発明の実施形態に従って受信端の概略構造図である。受信端16は、図13を参照して示した方法の実施形態における一部またはすべてのステップを実施するように構成され得る。図16に示した受信端は、処理モジュール161および受信モジュール162を含み得る。
【０２８７】
処理モジュール161は、第1のタイプの制御情報の第1の時間ドメインリソースおよび第1のタイプの制御情報のスケジューリング済みデータを決定するように構成される。
【０２８８】
必要に応じて、第1の時間ドメインリソースは、J個のチャイルド時間ドメインリソースグループを含み、各チャイルド時間ドメインリソースグループは、少なくとも1つのチャイルド時間ドメインリソースを含み、Jは、1未満ではない正の整数である。
【０２８９】
処理モジュール161は、第2のタイプの制御情報の第2の時間ドメインリソースおよび第2のタイプの制御情報のスケジューリング済みデータを決定するようにさらに構成される。
【０２９０】
受信モジュール162は、受信端が第1の時間ドメインリソースにおいて第2のタイプの制御情報およびスケジューリング済みデータを検出すると、第2のタイプの制御情報に従って第2のタイプの制御情報のスケジューリング済みデータを受信するように構成される。
【０２９１】
受信モジュール162は、
受信端が第1の時間ドメインリソースにおいて第2のタイプの制御情報およびスケジューリング済みデータを検出すると、第2のタイプの制御情報または第2のタイプの制御情報のスケジューリング済みデータがプリセット条件を満たしているかどうかを決定し、第2のタイプの制御情報または第2のタイプの制御情報のスケジューリング済みデータがプリセット条件を満たしている場合には、第2のタイプの制御情報に従って第2のタイプの制御情報のスケジューリング済みデータを受信するようにさらに構成される。
【０２９２】
プリセット条件は、
第2のタイプの制御情報のスケジューリング済みデータの優先度が第1のタイプの制御情報のスケジューリング済みデータの優先度より高い、
第2のタイプの制御情報のデータタイプのスケジューリング済みデータがトリガ型イベントであるとともに、第1のタイプの制御情報のデータタイプのスケジューリング済みデータが周期的イベントである、または、
第2の時間ドメインリソースの伝送期間が第1の時間ドメインリソースの伝送期間より大きくない、といった条件のうちの少なくとも1つを含む。
【０２９３】
第2のタイプの制御情報は、
第2のタイプの制御情報のスケジューリング済みデータの優先度指示情報、
第2のタイプの制御情報のスケジューリング済みデータのデータタイプ指示情報であって、データタイプ指示情報は、第2のタイプの制御情報のスケジューリング済みデータがイベントトリガ型であるかどうかを示すために使用される、データタイプ指示情報、または、
第2のタイプの制御情報のスケジューリング済みデータの伝送期間指示情報、といった情報のうちの少なくとも1つを含む。
【０２９４】
受信モジュール162は、
第1の時間ドメインリソースにおいて第2のタイプの制御情報およびスケジューリング済みデータを検出した際に、受信端が第1のタイプの制御情報および第1のタイプの制御情報のスケジューリング済みデータを受信している場合には、第1のタイプの制御情報および第1のタイプの制御情報のスケジューリング済みデータを受信することを破棄または停止するようにさらに構成され得る。
【０２９５】
本実施形態における受信端16の各機能モジュールの機能が前述の方法の実施形態における方法に従って特に実装され得ることを理解されよう。詳細については、図13中の方法の実施形態における関連する説明を参照すればよいため、詳細をここでは再び説明しない。
【０２９６】
図17を参照すれば、図17は、本発明の実施形態に従って別の受信端の概略構造図である。本発明の本実施形態において提供した受信端は、図13に示した前述の実施形態において実施した方法を実施するように構成され得る。説明を簡潔にするために、本発明の本実施形態に関連している部分のみを図示している。開示していない特定の技術的詳細については、図13に示した本発明の実施形態を参照されたい。
【０２９７】
図17に示したように、受信端17は、少なくとも1つのプロセッサ171、例えば、CPU、少なくとも1つの通信バス172、メモリ173、およびネットワークインターフェース174を含み得る。通信バス172は、これらのコンポーネント間の接続および通信を実施するように構成される。ネットワークインターフェース174は、標準的な有線インターフェース、および無線インターフェース(WI-FIインターフェースなど)を含み得るし、外部ネットワークと通信するように構成される。メモリ173は、少なくとも1つの磁気ディスクメモリなどといった、高速RAMメモリまたは不揮発性メモリ(non-volatile memory)であり得る。あるいは、メモリ173は、プロセッサ171から遠く隔たったところに位置する少なくとも1つのストレージ装置であり得る。
【０２９８】
メモリ173は、プログラムコードのグループを記憶し、プロセッサ171は、メモリ173に記憶されているプログラムコードを起動するように構成され、
第1のタイプの制御情報の第1の時間ドメインリソースおよび第1のタイプの制御情報のスケジューリング済みデータを決定することと、
第2のタイプの制御情報の第2の時間ドメインリソースおよび第2のタイプの制御情報のスケジューリング済みデータを決定することと、
受信端がネットワークインターフェース174を使用して第1の時間ドメインリソースにおいて第2のタイプの制御情報およびスケジューリング済みデータを検出すると、第2のタイプの制御情報に従って第2のタイプの制御情報のスケジューリング済みデータを受信することといった動作を行うように構成される。
【０２９９】
特に、本発明の本実施形態において説明した受信端は、図13を参照して本発明において説明した方法の実施形態における一部またはすべての手続きを実施するように構成され得る。本発明は、コンピュータ記憶媒体をさらに提供しており、コンピュータ記憶媒体は、プログラムを記憶しており、実行される際に、プログラムは、図12中の方法の一部またはすべてのステップを含む。
【０３００】
本発明は、コンピュータ記憶媒体をさらに提供しており、コンピュータ記憶媒体は、プログラムを記憶しており、実行される際に、プログラムは、図13中の方法の一部またはすべてのステップを含む。
【０３０１】
当業者は、実施形態における方法のプロセスのすべてまたは一部が関連ハードウェアに命令するコンピュータプログラムによって実装され得ることを理解されよう。プログラムは、コンピュータ可読記憶媒体に記憶され得る。プログラムが動作すると、実施形態における方法のプロセスを行う。前述の記憶媒体は、磁気ディスク、光ディスク、リードオンリーメモリ(Read-Only Memory、ROM)、またはランダムアクセスメモリ(Random Access Memory、RAM)を含み得る。
【０３０２】
上述したことは、本発明の例示的な実施形態に過ぎず、当然のことながら、本発明の保護範囲を限定することを意図していない。したがって、本発明の特許請求の範囲に従ってなされる均等物としての変形は、本発明の範囲に含まれるものとする。
【符号の説明】
【０３０３】
8  送信端
81  処理モジュール
82  送信モジュール
9  送信端
91  プロセッサ
93  メモリ
94  ネットワークインターフェース
10  受信端
101  処理モジュール
102  受信モジュール
11  受信端
111  プロセッサ
113  メモリ
114  ネットワークインターフェース
14  送信端
141  処理モジュール
142  決定モジュール
143  送信モジュール
15  送信端
151  プロセッサ
153  メモリ
154  ネットワークインターフェース
16  受信端
161  処理モジュール
162  受信モジュール
17  受信端
171  プロセッサ
173  メモリ
174  ネットワークインターフェース
【図１】
0006704616.tif 000002
【図２】
0006704616.tif 000003
【図３】
0006704616.tif 000004
【図４】
0006704616.tif 000005
【図５ａ】
0006704616.tif 000006
【図５ｂ】
0006704616.tif 000007
【図５ｃ】
0006704616.tif 000008
【図５ｄ】
0006704616.tif 000009
【図６ａ】
0006704616.tif 000010
【図６ｂ】
0006704616.tif 000011
【図６ｃ】
0006704616.tif 000012
【図７】
0006704616.tif 000013
【図８】
0006704616.tif 000014
【図９】
0006704616.tif 000015
【図１０】
0006704616.tif 000016
【図１１】
0006704616.tif 000017
【図１２】
0006704616.tif 000018
【図１３】
0006704616.tif 000019
【図１４】
0006704616.tif 000020
【図１５】
0006704616.tif 000021
【図１６】
0006704616.tif 000022
【図１７】
0006704616.tif 000023